(57)【特許請求の範囲】
【請求項１】
第１のオーディオ信号の高能率符号化手法にのみ対応した再生手段では再生不可能な第２のオーディオ信号の高能率符号化手法に従ってオーディオ信号を符号化するに際し、
上記第１の高能率符号化手法に対応した再生手段が再生可能である当該第１の高能率符号化手法に従ってメッセージ情報を高能率符号化し、
上記第１の高能率符号化手法に従って符号化されたオーディオ信号と第２の高能率符号化手法に従って符号化された情報とを、上記第１及び第２の両高能率符号化手法に対応した再生手段が任意の順序で再生可能にするための再生順序情報を生成し、
上記メッセージ情報は、オーディオ信号が第２のオーディオ信号の高能率符号化手法に従って符号化されていることをユーザに知らせるためのものである
ことを特徴とする情報符号化方法。
【請求項２】
上記第１の高能率符号化手法に対応した再生手段が再生可能な情報を指定するための再生指定情報を生成することを特徴とする請求項１記載の情報符号化方法。
【請求項３】
第１の高能率符号化手法に従って符号化されたオーディオ信号と、上記第１の高能率符号化手法にのみ対応した再生手段では再生不可能な第２の高能率符号化手法に従って符号化されたオーディオ信号を、指定された任意の順序で再生する再生手段と、
上記第１の高能率符号化手法に対応した再生手段が再生可能なメッセージ情報の有無を識別する識別手段とを備え、
上記再生手段は、上記識別したメッセージ情報の再生を行い、
上記メッセージ情報は、オーディオ信号が第２のオーディオ信号の高能率符号化手法に従って符号化されていることをユーザに知らせるためのものである
ことを特徴とする情報復号化装置。
【請求項４】
第１の高能率符号化手法にのみ対応した再生手段では再生不可能な第２の高能率符号化手法に従ってオーディオ信号を符号化するに際し、
上記第１の高能率符号化手法に対応した再生手段が再生可能である当該第１の高能率符号化手法に従って符号化されたメッセージ情報の配置位置を含む管理情報を生成し、
上記管理情報は、上記第２の高能率符号化手法に従って符号化された各情報を再生しようとしたときに、上記第１の高能率符号化手法に従って符号化された上記メッセージ情報の配置位置が先に再生される規則を有し、
上記メッセージ情報は、オーディオ信号が第２のオーディオ信号の高能率符号化手法に従って符号化されていることをユーザに知らせるためのものである
ことを特徴とする情報符号化方法。
【請求項５】
上記管理情報は、上記第１の高能率符号化手法に従って符号化されたメッセージ情報の配置位置と上記第２の高能率符号化手法に従って符号化された複数の情報とを対応させる規則を有することを特徴とする請求項４記載の情報符号化方法。
【請求項６】
第１の高能率符号化手法に従って符号化されたメッセージ情報の配置位置を含む管理情報に基づいて、第１の高能率符号化手法にのみ対応した再生手段では再生不可能な第２の高能率符号化手法に従って符号化されたオーディオ信号を再生するに際し、上記第２の高能率符号化手法に従って符号化されたオーディオ信号を選択して復号化する再生手段を有し、
上記再生手段は、上記第２の高能率符号化手法に従って符号化されたオーディオ信号の選択を、上記管理情報から取り出した上記配置位置に基づいて行い、
上記メッセージ情報は、オーディオ信号が第２のオーディオ信号の高能率符号化手法に従って符号化されていることをユーザに知らせるためのものである
ことを特徴とする情報復号化装置。
【請求項７】
上記管理情報は、上記第１の高能率符号化手法に従って符号化された同一のメッセージ情報の配置位置と上記第２の高能率符号化手法に従って符号化された複数のオーディオ信号とを対応させる規則を有することを特徴とする請求項６記載の情報復号化装置。
【発明の詳細な説明】
【０００１】
【発明の属する技術分野】
本発明は情報を符号化する際の情報符号化方法及びこれに対応する情報復号化装置に関するものである。
【０００２】
【従来の技術】
従来より、符号化された音響情報或いは音声情報の如き信号（以下、オーディオ信号と呼ぶ）を記録することが可能なものとして、例えば光磁気ディスクのような情報記録媒体が提案されている。上記オーディオ信号の高能率符号化の手法には種々あるが、その高能率符号化の手法としては、例えば、時間軸上のオーディオ信号を所定時間単位でブロック化し、このブロック毎の時間軸の信号を周波数軸上の信号に変換（スペクトル変換）して複数の周波数帯域に分割し、各帯域毎に符号化するブロック化周波数帯域分割方式であるいわゆる変換符号化や、時間軸上のオーディオ信号をブロック化しないで、複数の周波数帯域に分割して符号化する非ブロック化周波数帯域分割方式であるいわゆる帯域分割符号化（サブ・バンド・コーディング：ＳＢＣ）等を挙げることができる。また、上述の帯域分割符号化と変換符号化とを組み合わせた高能率符号化の手法も考えられている。この場合には、例えば、上記帯域分割符号化で帯域分割を行った後、該各帯域毎の信号を周波数軸上の信号にスペクトル変換し、このスペクトル変換された各帯域毎に符号化が施される。
【０００３】
ここで、上述した帯域分割符号化において用いられる帯域分割用フィルターとしては、例えばいわゆるＱＭＦ（Ｑｕａｄｒａｔｕｒｅ  Ｍｉｒｒｏｒ  ｆｉｌｔｅｒ）などのフィルターがあり、このＱＭＦのフィルターは、文献「ディジタル・コーディング・オブ・スピーチ・イン・サブバンズ」（”Ｄｉｇｉｔａｌ  ｃｏｄｉｎｇ  ｏｆ  ｓｐｅｅｃｈ  ｉｎ  ｓｕｂｂａｎｄｓ”    Ｒ．Ｅ．Ｃｒｏｃｈｉｅｒｅ，  Ｂｅｌｌ  Ｓｙｓｔ．Ｔｅｃｈ．  Ｊ．，  Ｖｏｌ．５５，Ｎｏ．８  １９７６）  に述べられている。このＱＭＦのフィルターは、帯域を等バンド幅に２分割するものであり、当該フィルターにおいては上記分割した帯域を後に合成する際にいわゆるエリアシングが発生しないことが特徴となっている。また、文献「ポリフェイズ・クァドラチュア・フィルターズ  −新しい帯域分割符号化技術」（”Ｐｏｌｙｐｈａｓｅ  Ｑｕａｄｒａｔｕｒｅ  ｆｉｌｔｅｒｓ  −Ａ  ｎｅｗ  ｓｕｂｂａｎｄ  ｃｏｄｉｎｇ  ｔｅｃｈｎｉｑｕｅ”，  Ｊｏｓｅｐｈ  Ｈ．  Ｒｏｔｈｗｅｉｌｅｒ，  ＩＣＡＳＳＰ  ８３，  ＢＯＳＴＯＮ）  には、等帯域幅のフィルター分割手法が述べられている。このポリフェイズ・クァドラチュア・フィルタにおいては、信号を等バンド幅の複数の帯域に分割する際に一度に分割できることが特徴となっている。
【０００４】
上述したスペクトル変換としては、例えば、入力オーディオ信号を所定単位時間（フレーム）でブロック化し、当該ブロック毎に離散フーリエ変換（ＤＦＴ）、離散コサイン変換（  Ｄｉｓｃｒｅｔｅ  Ｃｏｓｉｎｅ  Ｔｒａｎｓｆｏｒｍ：ＤＣＴ）、モディファイド離散コサイン変換（変形離散コサイン変換：Ｍｏｄｉｆｉｅｄ  Ｄｉｓｃｒｅｔｅ  Ｃｏｓｉｎｅ  Ｔｒａｎｓｆｏｒｍ：ＭＤＣＴ）等を行うことで時間軸を周波数軸に変換するようなスペクトル変換がある。なお、上記ＭＤＣＴについては、文献「時間領域エリアシング・キャンセルを基礎とするフィルター・バンク設計を用いたサブバンド／変換符号化」（”Ｓｕｂｂａｎｄ／Ｔｒａｎｓｆｏｒｍ  Ｃｏｄｉｎｇ  Ｕｓｉｎｇ  Ｆｉｌｔｅｒ  Ｂａｎｋ  Ｄｅｓｉｇｎｓ  Ｂａｓｅｄ  ｏｎ  Ｔｉｍｅ  Ｄｏｍａｉｎ  Ａｌｉａｓｉｎｇ  Ｃａｎｃｅｌｌａｔｉｏｎ，”  Ｊ．Ｐ．Ｐｒｉｎｃｅｎ  Ａ．Ｂ．Ｂｒａｄｌｅｙ，  Ｕｎｉｖ．  ｏｆ  Ｓｕｒｒｅｙ  Ｒｏｙａｌ  Ｍｅｌｂｏｕｒｎｅ  Ｉｎｓｔ．  ｏｆ  Ｔｅｃｈ．  ＩＣＡＳＳＰ  １９８７）に述べられている。
【０００５】
また、波形信号をスペクトル変換する方法として上述のＤＦＴやＤＣＴを使用した場合、例えばＭ個のサンプルデータからなる時間ブロックで変換を行うと、Ｍ個の独立な実数データが得られる。ここで時間ブロック間の接続歪みを軽減するために、通常は、両隣の時間ブロック間でそれぞれＭ１個のサンプルデータをオーバーラップさせるので、これらＤＦＴやＤＣＴでは、平均化して（Ｍ−Ｍ１）個のサンプルデータに対してＭ個の実数データが得られるようになり、したがって、これらＭ個の実数データが、その後量子化及び符号化されることになる。
【０００６】
これに対して、スペクトル変換の方法として上述のＭＤＣＴを使用した場合には、両隣の時間ブロック間でそれぞれＮ個ずつのサンプルデータをオーバーラップさせた２Ｍ個のサンプルから、独立なＭ個の実数データが得られる。すなわち、ＭＤＣＴを使用した場合には、平均化してＭ個のサンプルデータに対してＭ個の実数データが得られ、これらＭ個の実数データが、その後量子化及び符号化されることになる。復号化装置においては、このようにしてＭＤＣＴを用いて得られた符号から、各ブロックにおいて逆変換を施して得た波形要素を互いに干渉させながら加え合わせることにより、波形信号を再構成することができる。
【０００７】
ところで、一般に、上記スペクトル変換のための時間ブロックを長くすると、周波数分解能が高まり、特定のスペクトル信号成分にエネルギが集中することが起きる。したがって、両隣の時間ブロック間でそれぞれ半分ずつサンプルデータをオーバーラップさせた長い時間ブロック長でスペクトル変換を行い、しかも得られたスペクトル信号成分の個数が、元の時間軸のサンプルデータの個数に対して増加しない上記ＭＤＣＴを使用するようにすれば、ＤＦＴやＤＣＴを使用した場合よりも効率の良い符号化を行うことが可能となる。また、隣接する時間ブロック同士で十分長いオーバーラップを持たせるようにすれば、波形信号の時間ブロック間の接続歪みを軽減することもできる。
【０００８】
上述したのように、フィルターやスペクトル変換によって帯域毎に分割された信号成分を量子化することにより、量子化雑音が発生する帯域を制御することができ、したがって、いわゆるマスキング効果などの性質を利用して聴覚的により高能率な符号化を行うことが可能となる。また、ここで量子化を行う前に、各帯域毎に、例えばその帯域における信号成分の絶対値の最大値で各サンプルデータの正規化を行うようにすれば、さらに高能率な符号化を行うことができる。
【０００９】
ここで、例えばオーディオ信号を周波数帯域分割して得た各信号成分を量子化する場合の周波数分割幅としては、例えば人間の聴覚特性を考慮した帯域幅を用いることが好ましい。すなわち、一般に高域ほど帯域幅が広くなるような臨界帯域（クリティカルバンド）と呼ばれている帯域幅で、オーディオ信号を複数（例えば２５バント）の帯域に分割することが好ましい。また、この時の各帯域毎のデータを符号化する際には、各帯域毎に所定のビット配分或いは、各帯域毎に適応的なビット割当て（ビットアロケーション）による符号化が行われる。例えば、上記ＭＤＣＴ処理されて得られた係数データを上記ビットアロケーションによって符号化する際には、上記各時間ブロック毎のＭＤＣＴ処理により得られる各帯域毎のＭＤＣＴ係数データに対して、適応的な割当てビット数で符号化が行われることになる。ビット割当手法としては、次の２手法が知られている。
【００１０】
例えば、文献「音声信号の適応変換符号化」（”Ａｄａｐｔｉｖｅ  Ｔｒａｎｓｆｏｒｍ  Ｃｏｄｉｎｇ  ｏｆ  Ｓｐｅｅｃｈ  Ｓｉｇｎａｌｓ”，  Ｒ．Ｚｅｌｉｎｓｋｉ  ａｎｄ  Ｐ．Ｎｏｌｌ，  ＩＥＥＥ  Ｔｒａｎｓａｃｔｉｏｎｓ  ｏｆ  Ａｃｃｏｕｓｔｉｃｓ，  Ｓｐｅｅｃｈ，  ａｎｄ  Ｓｉｇｎａｌ  Ｐｒｏｃｅｓｓｉｎｇ，  ｖｏｌ．ＡＳＳＰ−２５，  Ｎｏ．４，  Ａｕｇｕｓｔ  １９７７）では、各帯域毎の信号の大きさをもとに、ビット割当を行っている。この方式では、量子化雑音スペクトルが平坦となり、雑音エネルギ最小となるが、聴感覚的にはマスキング効果が利用されていないために実際の雑音感は最適ではない。
【００１１】
また、例えば文献「臨界帯域符号化器  −聴覚システムの知覚の要求に関するディジタル符号化」（”Ｔｈｅ  ｃｒｉｔｉｃａｌ  ｂａｎｄ  ｃｏｄｅｒ  −−ｄｉｇｉｔａｌ  ｅｎｃｏｄｉｎｇ  ｏｆ    ｔｈｅ  ｐｅｒｃｅｐｔｕａｌ  ｒｅｑｕｉｒｅｍｅｎｔｓ  ｏｆ  ｔｈｅ  ａｕｄｉｔｏｒｙ  ｓｙｓｔｅｍ”，  Ｍ．Ａ．Ｋｒａｎｓｎｅｒ  ＭＩＴ，  ＩＣＡＳＳＰ  １９８０）では、聴覚マスキングを利用することで、各帯域毎に必要な信号対雑音比を得て固定的なビット割当を行う手法が述べられている。しかしこの手法では、サイン波入力で特性を測定する場合でも、ビット割当が固定的であるために特性値がそれほど良い値とならない。
【００１２】
これらの問題を解決するために、ビット割当に使用できる全ビットを、各小ブロック毎にあらかじめ定められた固定ビット割当パターン分と、各ブロックの信号の大きさに依存したビット配分を行う分とに分割使用するようにし、そのときの分割比を入力信号に関係する信号に依存させ、前記信号のスペクトルのパターンが滑らかなほど前記固定ビット割当パターン分への分割比率を大きくするような高能率符号化方法が提案されている。
【００１３】
この方法によれば、サイン波入力のように、特定のスペクトル信号成分にエネルギが集中する場合にはそのスペクトル信号成分を含むブロックに多くのビットを割り当てる事により、全体の信号対雑音特性を著しく改善することができる。一般に、急峻なスペクトル信号成分をもつ信号に対して人間の聴覚は極めて敏感であるため、このような方法を用いる事により、信号対雑音特性を改善することは、単に測定上の数値を向上させるばかりでなく、聴感上、音質を改善するのに有効である。
【００１４】
ビット割り当ての方法にはこの他にも数多くの方法が提案されており、さらに聴覚に関するモデルが精緻化され、符号化装置の能力があがれば聴覚的にみてより高能率な符号化が可能になる。
【００１５】
これらの方法においては、計算によって求められた信号対雑音特性をなるべく忠実に実現するような実数のビット割り当て基準値を求め、それを近似する整数値を割り当てビット数とすることが一般的である。
【００１６】
また、本件出願人による特願平５−１５２８６５号の明細書及び図面には、スペクトル信号成分から聴感上特に重要なトーン性の成分を分離して、他のスペクトル信号成分とは別に符号化する方法が提案されており、これにより、オーディオ信号等を聴感上の劣化を殆ど生じさせずに高い圧縮率で効率的に符号化することが可能になっている。
【００１７】
実際の符号列を構成するにあたっては、先ず、正規化及び量子化が行われる帯域毎に、量子化精度情報と正規化係数情報を所定のビット数で符号化し、次に、正規化及び量子化されたスペクトル信号成分を符号化すれば良い。また、ＩＳＯ標準（ＩＳＯ／ＩＥＣ  １１１７２−３：１９９３（Ｅ），ａ９９３）では、帯域によって量子化精度情報を表すビット数が異なるように設定された高能率符号化方式が記述されており、ここでは高域になるにしたがって、量子化精度情報を表すビット数が小さくなるように規格化されている。
【００１８】
量子化精度情報を直接符号化する代わりに、復号化装置において例えば正規化係数情報から量子化精度情報を決定する方法も知られているが、この方法では、規格を設定した時点で正規化係数情報と量子化精度情報の関係が決まってしまうので、将来的にさらに高度な聴覚モデルに基づいた量子化精度の制御を導入することができなくなる。また、実現する圧縮率に幅がある場合には圧縮率毎に正規化係数情報と量子化精度情報との関係を定める必要が出てくる。
【００１９】
また、例えば、文献「最小冗長コードの構成のための方法」（”Ａ  Ｍｅｔｈｏｄ  ｆｏｒ  Ｃｏｎｓｔｒｕｃｔｉｏｎ  ｏｆ  Ｍｉｎｉｍｕｍ  Ｒｅｄｕｎｄａｎｃｙ  Ｃｏｄｅｓ”  Ｄ．Ａ．Ｈｕｆｆｍａｎ：，Ｐｒｏｃ．Ｉ．Ｒ．Ｅ．，  ４０，  ｐ．１０９８  （１９５２））のように、可変長符号を用いて符号化することによって、量子化されたスペクトル信号成分をより効率的に符号化する方法も知られている。
【００２０】
このように、符号化効率を高める手法は次々と開発されている。したがって、新たに開発された手法を組み込んだ規格を採用すれば、より長時間の記録が可能になったり、同じ記録時間であればより音質の高い音響（オーディオ）信号を記録することが可能になる。
【００２１】
ここで、上述したような規格を決定する際には、将来的に規格が変更または拡張される場合のことを考慮して、予め情報記録媒体に対して上記規格に関するフラグ情報等を記録できる余地を残しておく方法がよく採られる。すなわち例えば、最初に規格化を行う場合には１ビットのフラグ情報として「０」を記録しておくようにし、規格変更を行う場合にはそのフラグ情報に「１」を記録する。変更後の規格に対応した再生装置は、このフラグ情報が「０」であるか「１」であるかをチェックし、もし「１」ならば、変更後の規格に基づいて情報記録媒体から信号を読み出し再生する。上記フラグ情報が「０」の場合には、もし、その再生装置が最初に定められた規格にも対応しているのであれば、その規格に基づいて情報記録媒体から信号を読み出して再生し、対応していないのであれば信号再生を行わない。
【００２２】
上述のような従来の情報符号化方法は、例えば図１６に示すような情報符号化及び／又は復号化装置（圧縮データ記録及び／又は再生装置、以下、単に記録再生装置とする）において実行される。
【００２３】
この記録再生装置において、情報記録媒体としては例えば光磁気ディスク１が用いられ、この光磁気ディスク１はスピンドルモータ５１により回転駆動される。上記光磁気ディスク１に対するデータの記録時には、例えば光学ヘッド５３によりレーザ光を照射した状態で、記録データに応じた変調磁界を磁気ヘッド５４から印加することによる記録、すなわちいわゆる磁界変調記録を行い、これにより該光磁気ディスク１の記録トラックに沿ってデータを記録する。また、当該光磁気ディスク１からのデータ再生時には、上記光磁気ディスク１上の記録トラックを光学ヘッド５３によりレーザ光でトレースし、このレーザ光の該光磁気ディスク１による反射時の偏光方向の変化を検出することによって磁気光学的に再生を行う。
【００２４】
上記光学ヘッド５３は、例えば、レーザダイオード等のレーザ光源、コリメータレンズ、対物レンズ、偏光ビームスプリッタ、シリンドリカルレンズ等の光学部品及び所定パターンの受光部を有するフォトディテクタ等から構成されている。この光学ヘッド５３は、上記光磁気ディスク１を介して上記磁気ヘッド５４と対向する位置に設けられている。上記光磁気デイスク１にデータを記録するときには、後述する記録系のヘッド駆動回路６６により磁気ヘッド５４を駆動して記録データに応じた変調磁界を印加すると共に、上記光学ヘッド５３により光磁気ディスク１の目的トラックにレーザ光を照射することによって、磁界変調方式による熱磁気記録を行う。また、この光学ヘッド５３は、目的トラックに照射したレーザ光の反射光を検出し、例えば、いわゆる非点収差法によりフォーカスエラー信号を検出し、また、例えば、いわゆるプッシュプル法によりトラッキングエラー信号を検出する。上記光磁気ディスク１からデータを再生するとき、上記光学ヘツド５３は、上記フォーカスエラー信号やトラッキングエラー信号を検出するとともに、上記レーザ光の目的トラックからの反射光の偏光角（カー回転角）の違いを検出して、再生信号を生成する。
【００２５】
上記光学ヘッド５３の出力は、ＲＦ回路５５に供給される。このＲＦ回路５５は、上記光学ヘッド５３の出力から上記フォーカスエラー信号やトラッキングエラー信号を抽出してサーボ制御回路５６に供給するとともに、再生信号を２値化して後述する再生系のデコーダ７１に供給する。
【００２６】
上記サーボ制御回路５６は、例えば、フォーカスサーボ制御回路やトラッキングサーボ制御回路、スピンドルモータサーボ制御回路、スレッドサーボ制御回路等から構成される。上記フォーカスサーボ制御回路は、上記フォーカスエラー信号がゼロになるように、光学ヘッド５３の光学系のフォーカス制御を行う。また上記トラッキングサーボ制御回路は、上記トラッキングエラー信号がゼロになるように光学ヘッド５３の光学系のトラッキング制御を行う。さらに、上記スピンドルモータサーボ制御回路は、光磁気ディスク１を所定の回転速度（例えば一定線速度）で回転駆動するようにスピンドルモータ５１を制御する。また、上記スレッドサーボ制御回路は、システムコントローラ５７により指定される光磁気ディスク１の目的トラック位置に光学ヘッド５３及び磁気ヘッド５４を移動させる。このような各種制御動作を行うサーボ制御回路５６は、該サーボ制御回路５６により制御される各部の動作状態を示す情報をシステムコントローラ５７に送る。
【００２７】
上記システムコントローラ５７には、キー入力操作部５８や表示部（ディスプレイ）５９が接続されている。このシステムコントローラ５７は、キー入力操作部５８による操作入力情報により、記録系及び再生系の制御を行う。また、上記システムコントローラ５７は、上記光磁気ディスク１の記録トラックからヘッダタイムやサブコードのＱデータ等により再生されるセクタ単位のアドレス情報に基づいて、上記光学ヘッド５３及び上記磁気ヘッド５４がトレースしている該記録トラック上の記録位置や再生位置を管理する。さらに、上記システムコントローラ５７は、この記録再生装置のデータ圧縮率と上記記録トラック上の再生位置情報とに基づいて、表示部５９に再生時間を表示させる制御を行う。
【００２８】
この再生時間表示は、上記光磁気ディスク１の記録トラックからいわゆるヘッダタイムやいわゆるサブコードＱデータ等により再生されるセクタ単位のアドレス情報（絶対時間情報）に対し、データ圧縮率の逆数（例えば１／４圧縮のときには４）を乗算することにより、実際の時間情報を求め、これを表示部５９に表示させるものである。なお、記録時においても、例えば光磁気ディスク等の記録トラックに予め絶対時間情報が記録されている（プリフォーマットされている）場合に、このプリフォーマットされた絶対時間情報を読み取ってデータ圧縮率の逆数を乗算することにより、現在位置を実際の記録時間で表示させることも可能である。
【００２９】
次に、この記録再生装置の記録系において、入力端子６０からのアナログオーディオ入力信号Ａｉｎがローパスフイルタ６１を介してＡ／Ｄ（アナログ／デジタル）変換器６２に供給され、このＡ／Ｄ変換器６２は上記アナログオーディオ入力信号Ａｉｎを量子化する。Ａ／Ｄ変換器６２から得られたデジタルオーディオ信号は、ＡＴＣ（Ａｄａｐｔｉｖｅ  Ｔｒａｎｓｆｏｒｍ  Ｃｏｄｉｎｇ）エンコーダ６３に供給される。また、入力端子６７からのデジタルオーディオ入力信号Ｄｉｎがデジタル入力インターフェース回路６８を介してＡＴＣエンコーダ６３に供給される。ＡＴＣエンコーダ６３は、上記入力信号Ａｉｎを上記Ａ／Ｄ変換器６２により量子化した所定転送速度のデジタルオーディオＰＣＭデータについて、所定のデータ圧縮率に応じたビット圧縮（データ圧縮）処理を行うものであり、ＡＴＣエンコーダ６３から出力される圧縮データ（ＡＴＣデータ）は、メモリ（ＲＡＭ）６４に供給される。例えば、データ圧縮率が１／８の場合について説明すると、ここでのデータ転送速度は、標準のフォーマット（ＣＤ−ＤＡフォーマット）のデータ転送速度（７５セクタ／秒）の１／８（９．３７５セクタ／秒）に低減されている。
【００３０】
次に、上記メモリ６４は、データの書き込み及び読み出しがシステムコントローラ５７により制御され、ＡＴＣエンコーダ６３から供給されるＡＴＣデータを一時的に記憶しておき、必要に応じてディスク上に記録するためのバッファメモリとして用いられている。すなわち、例えばデータ圧縮率が１／８の場合において、ＡＴＣエンコーダ６３から供給される圧縮オーディオデータは、そのデータ転送速度が、標準的なＣＤ−ＤＡフォーマットのデータ転送速度（７５セクタ／秒）の１／８、すなわち９．３７５セクタ／秒に低減されており、この圧縮データがメモリ６４に連続的に書き込まれる。この圧縮データ（ＡＴＣデータ）は、前述したように８セクタにつき１セクタの記録を行えば足りるが、このような８セクタおきの記録は事実上不可能に近いため、後述するようなセクタ連続の記録を行うようにしている。
【００３１】
この記録は、休止期間を介して、所定の複数セクタ（例えば３２セクタ＋数セクタ）から成る「クラスタ」を記録単位として、標準的なＣＤ−ＤＡフォーマットと同じデータ転送速度（７５セクタ／秒）でバースト的に（断続的に）行われる。すなわち、上記メモリ６４においては、上記ビット圧縮レートに応じた９．３７５（＝７５／８）セクタ／秒の低い転送速度で連続的に書き込まれたデータ圧縮率１／８のＡＴＣオーディオデータが、記録データとして上記７５セクタ／秒の転送速度でバースト的に読み出される。この読み出されて記録されるデータについて、記録休止期間を含む全体的なデータ転送速度は、上記９．３７５セクタ／秒の低い速度となっているが、バースト的に行われる記録動作の時間内での瞬時的なデータ転送速度は上記標準的な７５セクタ／秒となっている。したがって、ディスク回転速度が標準的なＣＤ−ＤＡフォーマットと同じ速度（一定線速度）のとき、該ＣＤ−ＤＡフォーマットと同じ記録密度、記憶パターンの記録が行われることになる。
【００３２】
上記メモリ６４から７５セクタ／秒の（瞬時的な）転送速度でバースト的に読み出されたＡＴＣオーディオデータ、すなわち、記録データは、エンコーダ６５に供給される。ここで、上記メモリ６４から上記エンコーダ６５に供給されるデータ列において、１回の記録で連続記録される単位は、複数セクタ（例えば３２セクタ）から成る「クラスタ」及び該「クラスタ」の前後位置に配されたクラスタ接続用の数セクタとしている。このクラスタ接続用セクタは、エンコーダ６５でのインターリーブ長より長く設定しており、インターリーブされても他のクラスタのデータに影響を与えないようにしている。
【００３３】
上記エンコーダ６５は、上記メモリ６４から上述したようにバースト的に供給される記録データについて、エラー訂正のための符号化処理（パリテイ付加及びインターリーブ処理）やＥＦＭ符号化処理などを施す。このエンコーダ６５による符号化処理の施された記録データが、磁気ヘッド駆動回路６６に供給される。この磁気ヘッド駆動回路６６には、上記磁気ヘッド５４が接続されており、上記記録データに応じた変調磁界を上記光磁気ディスク１に印加するように該磁気ヘッド５４を駆動する。
【００３４】
また、上記システムコントローラ５７は、上記メモリ６４に対する上述の如き制御を行うとともに、この制御により、該メモリ６４からバースト的に読み出される上記記録データを上記光磁気ディスク１の記録トラックに連続的に記録するように記録位置の制御を行う。この記録位置の制御は、上記システムコントローラ５７により上記メモリ６４からバースト的に読み出される上記記録データの記録位置を管理して、上記光磁気ディスク１の記録トラック上の記録位置を指定する制御信号をサーボ制御回路５６に供給することによって行われる。
【００３５】
次に、再生系について説明する。この再生系は、上述の記録系により上記光磁気ディスク１の記録トラック上に連続的に記録された記録データを再生するためのものであり、上記光学ヘッド５３によって該光磁気ディスク１の記録トラックをレーザ光でトレースすることにより得られる再生出力がＲＦ回路５５により２値化されて供給されるデコーダ７１を備えている。この再生系においては、上記光磁気ディスク１のみではなく、いわゆる「コンパクト・ディスク」（Ｃｏｍｐａｃｔ  Ｄｉｓｃ：商標名）の如き再生専用の光ディスクからの情報信号の読み出しも行うことができる。
【００３６】
上記デコーダ７１は、上述の記録系におけるエンコーダ６５に対応するものであって、上記ＲＦ回路５５により２値化された再生出力について、エラー訂正のための上述の如き復号化処理やＥＦＭ復号化処理などの処理を行い、上述のようにデータ圧縮率が１／８であるＡＴＣオーディオデータを、正規の転送速度よりも早い７５セクタ／秒の転送速度で再生する。このデコーダ７１により得られる再生データは、メモリ（ＲＡＭ）７２に供給される。
【００３７】
上記メモリ７２は、データの書き込み及び読み出しがシステムコントローラ５７により制御され、上記デコーダ７１から７５セクタ／秒の転送速度で供給される再生データがその７５セクタ／秒の転送速度でバースト的に書き込まれる。また、このメモリ７２においては、７５セクタ／秒の転送速度でバースト的に書き込まれた上記再生データがデータ圧縮率１／８に対応する９．３７５セクタ／秒の転送速度で連続的に読み出される。
【００３８】
上記システムコントローラ５７は、再生データを上記メモリ７２に７５セクタ／秒の転送速度でバースト的に書き込むとともに、該メモリ７２から上記再生データを上記９．３７５セクタ／秒の転送速度で連続的に読み出すようなメモリ制御を行う。また、このシステムコントローラ５７は、上記メモリ７２に対する上述の如きメモリ制御を行うとともに、このメモリ制御により該メモリ７２にバースト的に書き込まれる上記再生データを光磁気ディスク１の記録トラックから連続的に再生するように再生位置の制御を行う。この再生位置の制御は、システムコントローラ５７により上記光磁気ディスク１よりバースト的に読み出される上記再生データの再生位置を管理して、該光磁気ディスク１（もしくは光ディスク）の記録トラック上の再生位置を指定する制御信号を上記サーボ制御回路５６に供給することによって行われる。
【００３９】
上記メモリ７２から９．３７５セクタ／秒の転送速度で連続的に読み出された再生データとして得られるＡＴＣオーディオデータは、ＡＴＣデコーダ７３に供給される。このＡＴＣデコーダ７３は、上述した記録系のＡＴＣエンコーダ６３に対応するもので、例えば、ＡＴＣデータを８倍にデータ伸張（ビット伸張）することで１６ビットのデジタルオーディオデータを再生する。このＡＴＣデコーダ７３からのデジタルオーディオデータは、Ｄ／Ａ（デジタル／アナログ）変換器７４に供給される。
【００４０】
上記Ｄ／Ａ変換器７４は、上記ＡＴＣデコーダ７３から供給されるデジタルオーディオデータをアナログ信号に変換して、アナログオーディオ出力信号Ａｏｕｔを形成する。このＤ／Ａ変換器７４により得られるアナログオーディオ信号Ａｏｕｔは、ローパスフイルタ７５を介して出力端子７６から出力される。
【００４１】
【発明が解決しようとする課題】
しかしながら、一旦定められた規格（以下、これを「旧規格」、または、「第１の符号化手法」と称する）で記録された信号のみを再生できる再生装置（以下、これを「旧規格に対応した再生装置」と称する）が普及すると、この旧規格に対応した再生装置では、より高能率の符号化方式を使用した上位の規格（以下、これを「新規格」、または、「第２の符号化手法」と称する）を使って記録された情報記録媒体を再生できないため、装置の使用者に混乱を与える。
【００４２】
特に、旧規格が決定された時点における再生装置には、情報記録媒体に記録されたフラグ情報を無視して、当該情報記録媒体に記録されている信号はすべて旧規格で符号化されているものとして再生してしまうものも存在する。すなわち、情報記録媒体が新規格に基づいて記録されているものであったとしても、すべての旧規格に対応した再生装置がそのことを識別できるわけではない。このため、当該旧規格に対応した再生装置において、例えば新規格に基づいた信号が記録された情報記録媒体を、旧規格に基づいた信号が記録された情報記録媒体であると解釈して再生したような場合には、正常に動作しなかったり、ひどい雑音を発生したりする虞れがある。
【００４３】
ここで、図１７には、上述のようにして符号化された信号を光磁気ディスクに記録する場合の従来のフォーマット例を示す。なお、この図１７の例では、全部で例えば４個（４曲）分のオーディオ信号データが記録されているとする。
【００４４】
この図１７において、当該ディスクには、これら全部で４個分のオーディオ信号データと共に、当該オーディオ信号データの記録、再生を行う場合に使用する管理データも記録されている。管理データ領域の０番地、１番地には、それぞれ先頭データ番号、最終データ番号が記録されている。図１７の例では、上記先頭データ番号の値として１が記録され、最終データ番号の値として４が記録されている。これにより、このディスクには１番目から４番目までの４個のオーディオ信号データが記録されていることがわかる。
【００４５】
管理データ領域の５番地から８番地までには、「各オーディオ信号データがディスクのどこに記録されているかを示すデータ」すなわちアドレス情報が、当該管理データ領域内のどこに記録されているのかを示すアドレス格納位置の情報が記録されている。このアドレス格納位置の情報はオーディオ信号データの再生順（曲の演奏順）に記録されており、１番目に再生されるオーディオ信号データのための上記アドレス格納位置の情報は５番地に、２番目に再生されるオーディオ信号データのための上記アドレス格納位置の情報は６番地に、といったようになっている。このような管理データを用いることにより、例えば、１番目と２番目の再生の順番を入れ替えることは、実際のオーディオ信号データの記録位置を入れ替えるかわりに５番地と６番地の内容を入れ替えることによって容易に実現できる。また、管理データ領域内には、将来的な拡張が可能なように予備領域がとってあり、そこには０データが記録されるようになっている。
【００４６】
さてここで、ある符号化手法（以下、これをＡコーデックと呼ぶことにする）が開発され、これを用いてディスクへの記録フォーマットが規格化され、その後、当該Ａコーデックを拡張したより高能率な符号化手法（以下、これをＢコーデックと呼ぶことにする）が開発されたとする。このような場合、上記Ｂコーデックにより符号化された信号は、上記Ａコーデックによる信号が記録されるのと同一種類のディスクに記録できるようになる。このようにＢコーデックによる信号もＡコーデックの場合同様に記録できると、当該ディスクに対してより長時間の信号記録が可能になったり、より高音質の信号記録が可能になるので、ディスクの用途が広がり便利である。
【００４７】
上述のようにＡコーデックを拡張したＢコーデックにより符号化された信号をディスクに記録するような場合には、上記図１７に示したような旧規格（Ａコーデック）のみに対応していたディスクでは予備領域としていた２番地に、図１８に示すようなモード指定情報を記録するようにする。当該モード指定情報は、値が０のとき上記旧規格に基づいた記録が行われていることを示し、値が１のとき新規格に基づいた記録（Ｂコーデックによる信号の記録）が行われていることを示すものである。したがって、ディスク再生時に、当該モード指定情報の値が１になっていれば、当該ディスクには新規格に基づいた記録（Ｂコーデックによる信号の記録）が行われていることを判別できる。
【００４８】
また、このように当該Ｂコーデックによる信号をディスクに記録する場合には、前記図１７で示したような各オーディオ信号データのアドレス情報（スタートアドレス及びエンドアドレス）を記録する領域の次に設けてあった予備領域の一つを、コーデック指定情報用の領域として使用する。当該コーデック指定情報は、値が０のとき上記スタートアドレス及びエンドアドレスからなるアドレス情報にて指定されるオーディオ信号データが、上記旧規格に基づいて符号化されていることを示し、値が１のとき上記アドレス情報にて指定されるオーディオ信号データが新しい規格に基づいて符号化（Ｂコーデックによる符号化）されていることを示すものである。
【００４９】
これにより、Ａコーデックにより符号化されたオーディオ信号データとＢコーデックにより符号化されたオーディオ信号データを同一ディスク上に混在させて記録でき、当該ディスクは新規格に対応した再生装置によって再生可能となる。
【００５０】
しかしながら、上述したディスクは、旧規格にて記録がなされたものか、新規格にて記録がなされたのもであるのかを、外見上で判別することはできないので、使用者はこのディスクを旧規格のみに対応した再生装置で再生してしまう可能性がある。このとき、再生装置が前述したように記録されている信号をすべて旧規格で符号化されているものとして再生してしまうものである場合、当該再生装置は、上記旧規格では常に値０と定められていた２番地の内容をチェックせず、当該ディスクに記録されている信号は全てＡコーデックによるものであると解釈して再生を行おうとするため、再生できなかったり、乱雑で出鱈目な雑音を発生させたりして、使用者を混乱に陥れる危険性が高い。
【００５１】
本発明はこのような問題点を解決するために提案されたもので、旧規格に対応した再生装置自身が再生できないデータを誤って再生しないようにすると共に、使用者に対してその情報記録媒体の内容を知らせるメッセージを伝えることによって旧規格に対応した再生装置の使用者を混乱に陥れることを防止することを可能にするための情報符号化方法及び情報復号化装置を提供することを目的とするものである。
【００５２】
また、本発明は、符号化された情報を情報記録媒体に記録する手段を安価に構成でき、さらに情報記録媒体に記録された情報のうち、いずれのものが新規格にて記録されているのかを、旧規格に対応する再生手段に対して知らせることをも可能とする情報符号化方法及び情報復号化装置を提供することを目的とするものである。
【００５３】
【課題を解決するための手段】
本発明はこのような実情に鑑みてなされたものであり、本発明の情報符号化方法は、第１のオーディオ信号の高能率符号化手法にのみ対応した再生手段では再生不可能な第２のオーディオ信号の高能率符号化手法に従ってオーディオ信号を符号化するに際し、上記第１の高能率符号化手法に対応した再生手段が再生可能である当該第１の高能率符号化手法に従ってメッセージ情報を高能率符号化し、上記第１の高能率符号化手法に従って符号化されたオーディオ信号と第２の高能率符号化手法に従って符号化された情報とを、上記第１及び第２の両高能率符号化手法に対応した再生手段が任意の順序で再生可能にするための再生順序情報を生成し、上記メッセージ情報は、オーディオ信号が第２のオーディオ信号の高能率符号化手法に従って符号化されていることをユーザに知らせるためのものであることにより、上述した課題を解決する。
【００５４】
また、本発明の情報復号化装置は、第１の高能率符号化手法に従って符号化されたオーディオ信号と、上記第１の高能率符号化手法にのみ対応した再生手段では再生不可能な第２の高能率符号化手法に従って符号化されたオーディオ信号を、指定された任意の順序で再生する再生手段と、上記第１の高能率符号化手法に対応した再生手段が再生可能なメッセージ情報の有無を識別する識別手段とを備え、上記再生手段は、上記識別したメッセージ情報の再生を行い、上記メッセージ情報は、オーディオ信号が第２のオーディオ信号の高能率符号化手法に従って符号化されていることをユーザに知らせるためのものであることにより、上述した課題を解決する。
【００５６】
すなわち本発明においては、第２の符号化手法（新規格の符号化手法）にて情報を符号化し、この情報を情報記録媒体に記録する場合には、「情報記録媒体に記録されている信号の一部は、第１の符号化手法（旧規格の符号化手法）のみに対応した再生手段では再生できない」という事実を知らせるためのメッセージ信号を第１の符号化手法にて符号化して記録すると共に、当該第１の符号化手法に対応した再生手段で再生した場合には、当該第１の符号化手法に基づいて符号化された情報以外は再生させないようにして、装置の使用者に混乱を招いたり、雑音を発生させたりすることを防止する。
【００５７】
また、本発明の情報符号化方法は、第１の高能率符号化手法にのみ対応した再生手段では再生不可能な第２の高能率符号化手法に従ってオーディオ信号を符号化するに際し、上記第１の高能率符号化手法に対応した再生手段が再生可能である当該第１の高能率符号化手法に従って符号化されたメッセージ情報の配置位置を含む管理情報を生成し、上記管理情報は、上記第２の高能率符号化手法に従って符号化された各情報を再生しようとしたときに、上記第１の高能率符号化手法に従って符号化された上記メッセージ情報の配置位置が先に再生される規則を有し、上記メッセージ情報は、オーディオ信号が第２のオーディオ信号の高能率符号化手法に従って符号化されていることをユーザに知らせるためのものであることにより、上述した課題を解決する。
【００５８】
これに対する本発明の情報復号化装置は、第１の高能率符号化手法に従って符号化されたメッセージ情報の配置位置を含む管理情報に基づいて、第１の高能率符号化手法にのみ対応した再生手段では再生不可能な第２の高能率符号化手法に従って符号化されたオーディオ信号を再生するに際し、上記第２の高能率符号化手法に従って符号化されたオーディオ信号を選択して復号化する再生手段を有し、上記再生手段は、上記第２の高能率符号化手法に従って符号化されたオーディオ信号の選択を、上記管理情報から取り出した上記配置位置に基づいて行い、上記メッセージ情報は、オーディオ信号が第２のオーディオ信号の高能率符号化手法に従って符号化されていることをユーザに知らせるためのものであることにより、上述した課題を解決する。
【００６０】
すなわち、本発明においては、第１の符号化手法（旧規格の符号化手法）にて符号化したメッセージ情報を予め記録媒体に記録しておき、第２の符号化方法（信号規格の符号化手法）で情報を符号化してこれを情報記録媒体に記録する際に、管理情報の内容を操作することによって、第１の符号化手法に対応する再生手段にて当該情報記録媒体を再生した場合にはメッセージ情報が再生されるようにすることで、安価な第１の符号化手法に対応する記録手段で容易に記録が行えるようにしている。さらに、本発明においては、第１の符号化手法に対応する再生手段にて情報記録媒体の再生を行う際に、第２の符号化手法で符号化されて記録された情報に対応して、メッセージ情報が再生されるようにすることで、実際にどの情報が第１の符号化手法で記録されているのかを、当該第１の符号化手法に対応する再生手段の使用者に知らせ得るようにしている。
【００６１】
【発明の実施の形態】
以下、本発明の具体的な実施の形態について、図面を参照しながら説明する。
【００６２】
本発明は、第１の符号化手法（以下、Ａコーデックまたは旧規格と言う）及び第２の符号化手法（以下、Ｂコーデックまたは新規格と言う）に対応した情報符号化方法、情報復号化装置及び情報記録媒体を提供するものである。なお、上記新規格は旧規格を拡張したものである。
【００６３】
本発明に係る情報符号化方法は、図１に示すような情報符号化及び／又は復号化装置（圧縮データ記録及び／又は再生装置、以下、単に記録再生装置と呼ぶ）において実行されるものである。
【００６４】
最初に、この図１に示す記録再生装置の基本的な構成及び動作について説明する。
【００６５】
図１に示す記録再生装置において、情報記録媒体としては、スピンドルモータ５１により回転駆動される光磁気ディスク１が用いられている。上記光磁気ディスク１に対するデータの記録時には、例えば光学ヘッド５３によりレーザ光を照射した状態で、磁気ヘッド５４から記録データに応じた変調磁界を印加することによるいわゆる磁界変調記録を行うことによって、当該光磁気ディスク１の記録トラックに沿ってデータを記録する。また、再生時には、上記光磁気ディスク１の記録トラックを光学ヘッド５３によりレーザ光でトレースし、このレーザ光の該光磁気ディスク１による反射時の偏光方向の変化を検出することによって磁気光学的に再生を行う。
【００６６】
上記光学ヘッド５３は、例えば、レーザダイオード等のレーザ光源、コリメータレンズ、対物レンズ、偏光ビームスプリッタ、シリンドリカルレンズ等の光学部品及び所定パターンの受光部を有するフォトディテクタ等から構成されている。この光学ヘッド５３は、上記光磁気ディスク１を介して上記磁気ヘッド５４と対向する位置に設けられている。上記光磁気デイスク１にデータを記録するときには、後述する記録系のヘッド駆動回路６６により磁気ヘッド５４を駆動して記録データに応じた変調磁界を印加すると共に、上記光学ヘッド５３により光磁気ディスク１の目的トラックにレーザ光を照射することによって、磁界変調方式により熱磁気記録を行う。また、この光学ヘッド５３は、目的トラックに照射したレーザ光の反射光を検出し、例えば、いわゆる非点収差法によりフォーカスエラー信号を検出し、また、例えば、いわゆるプツシユプル法によりトラッキングエラー信号を検出する。上記光磁気ディスク１からデータを再生するとき、上記光学ヘツド５３は、上記フォーカスエラー信号やトラッキングエラー信号を検出するとともに、上記レーザ光の目的トラックからの反射光の偏光角（カー回転角）の違いを検出して、再生信号を生成する。
【００６７】
上記光学ヘッド５３の出力は、ＲＦ回路５５に供給される。このＲＦ回路５５は、上記光学ヘッド５３の出力から上記フォーカスエラー信号やトラッキングエラー信号を抽出してサーボ制御回路５６に供給するとともに、再生信号を２値化して後述する再生系のデコーダ７１に供給する。
【００６８】
上記サーボ制御回路５６は、例えば、フォーカスサーボ制御回路やトラッキングサーボ制御回路、スピンドルモータサーボ制御回路、スレッドサーボ制御回路等から構成される。上記フォーカスサーボ制御回路は、上記フォーカスエラー信号がゼロになるように、光学ヘッド５３の光学系のフォーカス制御を行う。また上記トラッキングサーボ制御回路は、上記トラッキングエラー信号がゼロになるように光学ヘッド５３の光学系のトラッキング制御を行う。さらに、上記スピンドルモータサーボ制御回路は、光磁気ディスク１を所定の回転速度（例えば一定線速度）で回転駆動するようにスピンドルモータ５１を制御する。また、上記スレッドサーボ制御回路は、システムコントローラ５７により指定される光磁気ディスク１の目的トラック位置に光学ヘッド５３及び磁気ヘッド５４を移動させる。このような各種制御動作を行うサーボ制御回路５６は、該サーボ制御回路５６により制御される各部の動作状態を示す情報をシステムコントローラ５７に送る。
【００６９】
上記システムコントローラ５７には、キー入力操作部５８や表示部（ディスプレイ）５９が接続されている。このシステムコントローラ５７は、キー入力操作部５８による操作入力情報により、記録系及び再生系の制御を行う。また、上記システムコントローラ５７は、上記光磁気ディスク１の記録トラックからヘッダタイムやサブコードのＱデータ等により再生されるセクタ単位のアドレス情報に基づいて、上記光学ヘッド５３及び上記磁気ヘッド５４がトレースしている該記録トラック上の記録位置や再生位置を管理する。さらに、上記システムコントローラ５７は、この記録再生装置におけるデータ圧縮率と上記記録トラック上の再生位置情報とに基づいて、表示部５９に再生時間を表示させる制御を行う。
【００７０】
この再生時間表示は、上記光磁気ディスク１の記録トラックからいわゆるヘッダタイムやいわゆるサブコードＱデータ等により再生されるセクタ単位のアドレス情報（絶対時間情報）に対し、データ圧縮率の逆数（例えば１／４圧縮のときには４）を乗算することにより、実際の時間情報を求め、これを表示部５９に表示させるものである。なお、記録時においても、例えば光磁気ディスク等の記録トラックに予め絶対時間情報が記録されている（プリフォーマットされている）場合に、このプリフォーマットされた絶対時間情報を読み取ってデータ圧縮率の逆数を乗算することにより、現在位置を実際の記録時間で表示させることも可能である。
【００７１】
次にこの記録再生装置の記録系において、入力端子６０からのアナログオーディオ入力信号Ａｉｎは、ローパスフイルタ６１を介してＡ／Ｄ（アナログ／デジタル）変換器６２に供給され、このＡ／Ｄ変換器６２は上記アナログオーディオ入力信号Ａｉｎを量子化する。Ａ／Ｄ変換器６２から得られたデジタルオーディオ信号は、ＡＴＣ（Ａｄａｐｔｉｖｅ  Ｔｒａｎｓｆｏｒｍ  Ｃｏｄｉｎｇ）エンコーダ６３に供給される。また、入力端子６７からのデジタルオーディオ入力信号Ｄｉｎがデジタル入力インターフェース回路６８を介してＡＴＣエンコーダ６３に供給される。このＡＴＣエンコーダ６３は、Ａコーデック、Ｂコーデックともに対応できるようになっている。ＡＴＣエンコーダ６３は、上記入力信号Ａｉｎを上記Ａ／Ｄ変換器６２により量子化した所定転送速度のデジタルオーディオＰＣＭデータについて、所定のデータ圧縮率に応じたビット圧縮（データ圧縮）処理を行うものであり、ＡＴＣエンコーダ６３から出力される圧縮データ（ＡＴＣデータ）は、メモリ（ＲＡＭ）６４に供給される。例えば、データ圧縮率が１／８の場合について説明すると、ここでのデータ転送速度は、標準のフォーマット（ＣＤ−ＤＡフォーマット）のデータ転送速度（７５セクタ／秒）の１／８（９．３７５セクタ／秒）に低減されている。
【００７２】
上記メモリ６４は、データの書き込み及び読み出しがシステムコントローラ５７により制御され、ＡＴＣエンコーダ６３から供給されるＡＴＣデータを一時的に記憶しておき、必要に応じてディスク上に記録するためのバッファメモリとして用いられている。すなわち、例えばデータ圧縮率が１／８の場合において、ＡＴＣエンコーダ６３から供給される圧縮オーディオデータは、そのデータ転送速度が、標準的なＣＤ−ＤＡフォーマットのデータ転送速度（７５セクタ／秒）の１／８、すなわち９．３７５セクタ／秒に低減されており、この圧縮データがメモリ６４に連続的に書き込まれる。この圧縮データ（ＡＴＣデータ）は、前述したように８セクタにつき１セクタの記録を行えば足りるが、このような８セクタおきの記録は事実上不可能に近いため、後述するようなセクタ連続の記録を行うようにしている。
【００７３】
この記録は、休止期間を介して、所定の複数セクタ（例えば３２セクタ＋数セクタ）から成る「クラスタ」を記録単位として、標準的なＣＤ−ＤＡフォーマットと同じデータ転送速度（７５セクタ／秒）でバースト的に（断続的に）行われる。すなわち、上記メモリ６４においては、上記ビット圧縮レートに応じた９．３７５（＝７５／８）セクタ／秒の低い転送速度で連続的に書き込まれたデータ圧縮率１／８のＡＴＣオーディオデータが、記録データとして上記７５セクタ／秒の転送速度でバースト的に読み出される。この読み出されて記録されるデータについて、記録休止期間を含む全体的なデータ転送速度は、上記９．３７５セクタ／秒の低い速度となっているが、バースト的に行われる記録動作の時間内での瞬時的なデータ転送速度は上記標準的な７５セクタ／秒となっている。したがって、ディスク回転速度が標準的なＣＤ−ＤＡフォーマットと同じ速度（一定線速度）のとき、該ＣＤ−ＤＡフォーマットと同じ記録密度、記憶パターンの記録が行われることになる。
【００７４】
上記メモリ６４から７５セクタ／秒の（瞬時的な）転送速度でバースト的に読み出されたＡＴＣオーディオデータ、すなわち、記録データは、エンコーダ６５に供給される。ここで、上記メモリ６４から上記エンコーダ６５に供給されるデータ列において、１回の記録で連続記録される単位は、複数セクタ（例えば３２セクタ）から成る「クラスタ」及び該「クラスタ」の前後位置に配されたクラスタ接続用の数セクタとしている。このクラスタ接続用セクタは、エンコーダ６５でのインターリーブ長より長く設定しており、インターリーブされても他のクラスタのデータに影響を与えないようにしている。
【００７５】
上記エンコーダ６５は、上記メモリ６４から上述したようにバースト的に供給される記録データについて、エラー訂正のための符号化処理（パリテイ付加及びインターリーブ処理）やＥＦＭ符号化処理などを施す。このエンコーダ６５による符号化処理の施された記録データが、磁気ヘッド駆動回路６６に供給される。この磁気ヘッド駆動回路６６には、上記磁気ヘッド５４が接続されており、上記記録データに応じた変調磁界を上記光磁気ディスク１に印加するように該磁気ヘッド５４を駆動する。
【００７６】
また、上記システムコントローラ５７は、上記メモリ６４に対する上述の如き制御を行うとともに、この制御により、該メモリ６４からバースト的に読み出される上記記録データを上記光磁気ディスク１の記録トラックに連続的に記録するように記録位置の制御を行う。この記録位置の制御は、上記システムコントローラ５７により上記メモリ６４からバースト的に読み出される上記記録データの記録位置を管理して、上記光磁気ディスク１の記録トラック上の記録位置を指定する制御信号をサーボ制御回路５６に供給することによって行われる。
【００７７】
この記録再生装置の再生系は、上述の記録系により上記光磁気ディスク１の記録トラック上に連続的に記録された記録データを再生するためのものであり、上記光学ヘッド５３によって該光磁気ディスク１の記録トラックをレーザ光でトレースすることにより得られる再生出力がＲＦ回路５５により２値化されて供給されるデコーダ７１を備えている。この再生系においては、上記光磁気ディスク１のみではなく、いわゆる「コンパクト・ディスク」（Ｃｏｍｐａｃｔ  Ｄｉｓｃ：商標名）の如き再生専用の光ディスクからの情報信号の読み出しも行うことができる。
【００７８】
上記デコーダ７１は、上述の記録系におけるエンコーダ６５に対応するものであって、上記ＲＦ回路５５により２値化された再生出力について、エラー訂正のための上述の如き復号化処理やＥＦＭ復号化処理などの処理を行い、上述のようにデータ圧縮率が１／８であるＡＴＣオーディオデータを、正規の転送速度よりも早い７５セクタ／秒の転送速度で再生する。このデコーダ７１により得られる再生データは、メモリ（ＲＡＭ）７２に供給される。
【００７９】
上記メモリ７２は、データの書き込み及び読み出しがシステムコントローラ５７により制御され、上記デコーダ７１から７５セクタ／秒の転送速度で供給される再生データがその７５セクタ／秒の転送速度でバースト的に書き込まれる。また、このメモリ７２においては、７５セクタ／秒の転送速度でバースト的に書き込まれた上記再生データがデータ圧縮率１／８に対応する９．３７５セクタ／秒の転送速度で連続的に読み出される。
【００８０】
上記システムコントローラ５７は、再生データを上記メモリ７２に７５セクタ／秒の転送速度でバースト的に書き込むとともに、該メモリ７２から上記再生データを上記９．３７５セクタ／秒の転送速度で連続的に読み出すようなメモリ制御を行う。また、このシステムコントローラ５７は、上記メモリ７２に対する上述の如きメモリ制御を行うとともに、このメモリ制御により該メモリ７２にバースト的に書き込まれる上記再生データを光磁気ディスク１の記録トラックから連続的に再生するように再生位置の制御を行う。この再生位置の制御は、システムコントローラ５７により上記光磁気ディスク１よりバースト的に読み出される上記再生データの再生位置を管理して、該光磁気ディスク１（もしくは光ディスク）の記録トラック上の再生位置を指定する制御信号を上記サーボ制御回路５６に供給することによって行われる。
【００８１】
上記メモリ７２から９．３７５セクタ／秒の転送速度で連続的に読み出された再生データとして得られるＡＴＣオーディオデータは、ＡＴＣデコーダ７３に供給される。このＡＴＣデコーダ７３は、Ａコーデック、Ｂコーデックともに対応できるようになっている。このＡＴＣデコーダ７３は、上述した記録系のＡＴＣエンコーダ６３に対応するもので、例えば、ＡＴＣデータを８倍にデータ伸張（ビット伸張）することで１６ビットのデジタルオーディオデータを再生する。このＡＴＣデコーダ７３からのデジタルオーディオデータは、Ｄ／Ａ（デジタル／アナログ）変換器７４に供給される。
【００８２】
上記Ｄ／Ａ変換器７４は、上記ＡＴＣデコーダ７３から供給されるデジタルオーディオデータをアナログ信号に変換して、アナログオーディオ出力信号Ａｏｕｔを形成する。このＤ／Ａ変換器７４により得られるアナログオーディオ信号Ａｏｕｔは、ローパスフイルタ７５を介して出力端子７６から出力される。
【００８３】
次に、上述した図１の記録再生装置に適用される上記高能率圧縮符号化のための構成について詳述する。すなわち、図１の記録再生装置における上記高能率圧縮符号化のための構成は、前記エンコーダ６３と対応し、このエンコーダ６３ではオーディオＰＣＭ信号等の入力デジタル信号を帯域分割符号化（ＳＢＣ）、適応変換符号化（ＡＴＣ）及び適応ビット割当ての各技術を用いて高能率符号化するようにしている。この高能率圧縮符号化の技術について、図２以降を参照しながら説明する。
【００８４】
本発明に係る情報（音響波形信号）符号化方法を実行する情報符号化装置（図１のエンコーダ６３）では、図２に示すように、入力された信号波形１０ａを変換手段１１ａによって信号周波数成分１０ｂに変換し、得られた各周波数成分１０ｂを信号成分符号化手段１１ｂによって符号化し、その後、符号列生成手段１１ｃにおいて、上記信号成分符号化手段１１ｂにて生成された符号化信号１０ｃから符号列１０ｄを生成する。
【００８５】
また、上記変換手段１１ａにおいては、図３に示すように、入力信号２０ａを帯域分割フィルター１２ａによって二つの帯域に分割し、得られた二つの帯域の信号２０ｂ，２０ｃをＭＤＣＴ等を用いた順スペクトル変換手段１２ｂ，１２ｃによりスペクトル信号成分２０ｄ，２０ｅに変換する。なお、上記入力信号２０ａは、上記図２の信号波形１０ａに対応し、また、上記スペクトル信号成分２０ｄ、２０ｅは上記図２の信号周波数成分１０ｂに対応している。この図３に示す構成を有する変換手段１１ａでは、上記二つの帯域に分割された信号２０ｂ、２０ｃの帯域幅が入力信号２０ａの帯域幅の１／２となっており、該入力信号２０ａが１／２に間引かれている。もちろん、当該変換手段１１ａとしては、この具体例以外にも多数考えられ、例えば、入力信号を直接、ＭＤＣＴによってスペクトル信号に変換するものでも良いし、ＭＤＣＴではなく、ＤＦＴやＤＣＴによって変換するものであっても良い。また、いわゆる帯域分割フィルターによって信号を帯域成分に分割することも可能であるが、本発明に係る情報符号化方法においては、多数の周波数成分が比較的少ない演算量で得られる、上述のスペクトル変換によって周波数成分に変換する方法を採ると都合が良い。
【００８６】
また、上記信号成分符号化手段１１ｂでは、図４に示すように、各信号成分３０ａを正規化手段１３ａによって所定の帯域毎に正規化すると共に、量子化精度決定手段１３ｂにて上記信号成分３０ａから量子化精度情報３０ｃを計算し、当該量子化精度情報３０ｃに基づいて、上記正規化手段１３ａからの正規化信号３０ｂを量子化手段１３ｃが量子化する。なお、上記各信号成分３０ａは、上記図２の信号周波数成分１０ｂに対応し、上記量子化手段１３ｃの出力信号３０ｄは、上記図２の符号化信号１０ｃに対応している。ただし、この出力信号３０ｄには、量子化された信号成分に加え、上記正規化の際の正規化係数情報や上記量子化精度情報も含まれている。
【００８７】
一方、上述したような情報符号化装置によって生成された符号列からオーディオ信号を再現する情報復号化装置（図１の例ではデコーダ７３）においては、図５に示すように、符号列分解手段１４ａによって符号列４０ａから各信号成分の符号４０ｂが抽出され、それらの符号４０ｂから信号成分復号化手段１４ｂによって各信号成分４０ｃが復元され、この復元された信号成分４０ｃから、逆変換手段１４ｃによって音響波形信号４０ｄが再現される。
【００８８】
この情報復号化装置の逆変換手段１４ｃは、図６に示すように構成されるものであって、上記図３に示した変換手段に対応したものである。この図６に示す逆変換手段１４ｃにおいて、逆スペクトル変換手段１５ａ，１５ｂでは、それぞれ供給された入力信号５０ａ，５０ｂに逆スペクトル変換を施して各帯域の信号を復元し、帯域合成フィルター１５ｃではこれら各帯域信号を合成する。上記入力信号５０ａ，５０ｂは、上記図５の信号成分復号化手段１４ｂによって各信号成分が復元された信号４０ｃに対応している。また、上記帯域合成フィルター１５ｃの出力信号５０ｅは、上記図５の音響波形信号４０ｄに対応している。
【００８９】
ここで、上述のような情報符号化装置の図３に示した変換手段によって得られるスペクトル信号は、図７に示すようなものとなる。この図７に示す各スペクトル成分は、ＭＤＣＴによるスペクトル成分の絶対値を、レベルを〔ｄＢ〕に変換して示したものである。すなわちこの情報符号化装置においては、入力信号を所定の時間ブロック毎に６４個のスペクトル信号に変換しており、それを図中〔１〕から〔８〕にて示す８つの帯域（以下、これを符号化ユニットと呼ぶ）にまとめて正規化および量子化している。このとき量子化精度を周波数成分の分布の仕方によって上記符号化ユニット毎に変化させるようにすれば、音質の劣化を最小限に抑えた聴覚的に効率の良い符号化が可能となる。
【００９０】
以上述べた方法に対して、さらに符号化効率を高めることも可能である。例えば、量子化されたスペクトル信号のうち、出現頻度の高いものに対しては比較的短い符号長を割り当て、出現頻度の低いものに対しては比較的長い符号長を割り当てる、いわゆる可変長符号化技術を用いることによって、符号化効率を高めることができる。また、例えば、入力信号を符号化する際の上記所定の時間ブロック、すなわちスペクトル変換のための変換ブロック長を長くとるようにすれば、量子化精度情報や正規化係数情報といったサブ情報の量を１ブロック当たりで相対的に削減でき、また、周波数分解能も上がるので、周波数軸上での量子化精度をより細やかに制御できるようになり、符号化効率を高めることが可能となる。
【００９１】
ところで、本発明実施例の図１に示す記録再生装置は、上述した構成と共に、ＲＯＭ（リード・オンリー・メモリ）８０を有している。このＲＯＭ８０は、Ａコーデックによって符号化されたメッセージ信号が格納されているものである。上記システムコントローラ５７の制御によって、当該ＲＯＭ８０から読み出されたメッセージ信号は、上記ＲＡＭ６４を介して上記光磁気ディスク１に随時書き込まれる。上記メッセージ信号の内容は、「このディスクの信号を再生するためには、Ｂコーデック対応再生機をご使用ください。」あるいは「このディスクにはＢコーデック対応再生機でないと再生できないものが２曲含まれています。」等といったものである。もちろん、これらのメッセージは、「こ」、「の」、「ディスク」、「信号」、「を」、「再生」、「するため」、「には」、「Ｂ」、「コーデック」、「対応再生機」、「ご使用」、「ください」等や、さらに「２曲」、「でないと」、「できないものが」、「含まれています」等の短い音声を、システムコントローラ５７の制御によって合成して生成することも可能であり、こうすることによって、少ない容量のＲＯＭを使用して多種のメッセージを生成記録することができる。
【００９２】
本発明実施例において、上述したようなメッセージ信号を前記符号化された信号と共に光磁気ディスクに記録した場合のフォーマットは、図８に示す第１の具体例のようなものとなる。なお、図８の例では、Ａコーデック（旧規格）により符号化されたオーディオ信号データとＢコーデック（新規格）により符号化されたオーディオ信号データが同一のディスクに記録されている例を示している。
【００９３】
すなわち図８の例では、図中オーディオ信号データ４として示す４番目（４曲目）のオーディオ信号データと図中オーディオ信号データ２として示す２番目（２曲目）のオーディオ信号データとがＡコーデックによるものとなっており、図中オーディオ信号データ１として示す１番目（１曲目）のオーディオ信号データと図中オーディオ信号データ３として示す３番目（３曲目）のオーディオ信号データとがＢコーデックによるものとなっている。また、図８の例では、図中オーディオ信号データ０として示すオーディオ信号データとして、上記Ａコーデックにより符号化された前記メッセージ信号が記録されている。ただし、これらオーディオ信号データに付加された数字は再生される順番を示すものではない。再生される順番は後述するようにアドレス格納位置により決定される。また、図８の例では、上記オーディオ信号データ４はディスクの１００００番地から３８９８０番地までに記録され、上記オーディオ信号データ２はディスクの３８９８１番地から７００３９番地までに記録され、上記オーディオ信号データ１はディスクの８０００２番地から１１８９９７番地までに記録され、上記オーディオ信号データ３はディスクの１４０００２番地から１６９２２４番地までに記録されている。もちろん、この図８は一例であり、オーディオ信号データをさらに多く記録することもでき、各オーディオ信号データが記録される番地も図８の例に限らない。
【００９４】
このようなオーディオ信号データが記録されたディスクにおいて、当該第１の具体例のフォーマットでは、この図８に示すように、これらオーディオ信号データの記録及び再生を行う場合に使用する管理データのうち、新規格に関連する管理データと旧規格に関連する管理データとを分離して記録するようにしている。
【００９５】
すなわちこの図８において、管理データ領域の０番地には旧規格として記録されたオーディオ信号データのうちの先頭のデータ番号を示す先頭データ番号が記録され、１番地には旧規格として記録されたオーディオ信号データのうちの最後のデータ番号を示す最終データ番号が記録されている。図８の例では、上記旧規格の先頭データ番号の値が１で旧規格の最終データ番号の値も１となっており、このことは当該ディスクから旧規格として取り出せるオーディオ信号データが１個（１曲）のみであることを示している。
【００９６】
また、当該管理データ領域の２番地には再生指定情報としてモード指定情報が記録される。当該モード指定情報は、値が０のとき上記旧規格（Ａコーデック）に基づいた記録のみが行われていることを示し、値が１のとき新規格（Ｂコーデック）に基づいた記録が行われていることを示すものである。当該図８の例では、上記モード指定情報の値が１となっており、このことから当該ディスクには新規格（Ｂコーデック）に基づいた記録が行われていることを知ることが可能となる。
【００９７】
一方、当該管理データ領域の３番地には、新規格として記録されたオーディオ信号データのうちの先頭のデータ番号を示す先頭データ番号が記録され、４番地には、新規格として記録されたオーディオ信号データのうちの最後のデータ番号を示す最終データ番号が記録されている。図８の例では、上記新規格の先頭データ番号の値が２で新規格の最終データ番号の値は５となっており、このことは当該ディスクから新規格として取り出せるオーディオ信号が上記２番から５番までの４個（４曲）であることを示している。
【００９８】
さらに、上記管理データ領域の５番地から９番地までには、前記図１７と同様に、「各オーディオ信号データがディスクのどこに記録されているかを示すデータ」すなわちアドレス情報が、管理データ領域のどこに記録されているのかを示すアドレス格納位置の情報が記録されている。このアドレス格納位置の情報はオーディオ信号データの再生順（曲の演奏順）に記録されており、１番目に再生されるオーディオ信号データ（１番目に演奏されるオーディオ信号データ）のための上記アドレス格納位置の情報は５番地に、２番目に再生されるオーディオ信号データ（２番目に演奏されるオーディオ信号データ）のための上記アドレス格納位置の情報は６番地に、といったようになっている。このような管理データを用いることにより、例えば、１番目と２番目の再生の順番（１曲目と２曲目の演奏の順番）を入れ替えることは、実際のオーディオ信号データの記録位置を入れ替えるかわりに、５番地と６番地の内容（アドレス格納位置の情報）を入れ替えることによって容易に実現できる。なお、図８の例では、上記５番地のアドレス格納位置１は上記１番目に再生されるオーディオ信号データのためのアドレス情報が１１６番地に格納されていることを指示し、上記６番地のアドレス格納位置２は上記２番目に再生されるオーディオ信号データのためのアドレス情報が１００番地に格納されていることを指示し、上記７番地のアドレス格納位置３は上記３番目に再生されるオーディオ信号データのためのアドレス情報が１０８番地に格納されていることを指示し、上記８番地のアドレス格納位置４は上記４番目に再生されるオーディオ信号データのためのアドレス情報が１０４番地に格納されていることを指示し、上記９番地のアドレス格納位置５は上記５番目に再生されるオーディオ信号データのためのアドレス情報が１１２番地に格納されていることを指示している。
【００９９】
上記各アドレス情報のうち、例えば上記５番地のアドレス格納位置１にて指示された上記１１６番地に格納されているアドレス情報は、スタートアドレスが２０００００番地であり、エンドアドレスが２３００００番地であることを示している。このため、上記１番目に再生される信号は、上記２０００００番地から２３９９９９番地に記録された上記オーディオ信号データ０となる。また、例えば上記６番地のアドレス格納位置２にて指示された上記１００番地に格納されているアドレス情報は、スタートアドレスが８０００２番地であり、エンドアドレスが１１８９９７番地であることを示している。このため、上記２番目に再生される信号は、上記８０００２番地から１１８９９７番地に記録された上記オーディオ信号データ１となる。
【０１００】
さらに、管理データ領域のうちの各オーディオ信号データのためのスタートアドレスとエンドアドレス（アドレス情報）を記録する領域の次の領域は、コーデック指定情報用の領域として使用する。当該コーデック指定情報は、前述同様に値が０のとき上記スタートアドレス及びエンドアドレスからなるアドレス情報にて指定されるオーディオ信号データが前記旧規格に基づいて符号化されていることを示し、値が１のとき上記スタートアドレス及びエンドアドレスにて指定されるオーディオ信号データが新規格に基づいて符号化されていることを示すものである。なお、図８の例では、上記２番目に再生されるオーディオ信号データのアドレス情報用の１００番地及び１０１番地の次の番地である１０２番地に記録されたコーデック指定情報の値は１となっているため、当該２番目に再生される上記オーディオ信号データ１は上記新規格すなわちＢコーデックにより符号化されていることになる。一方、上記１番目に再生されるオーディオ信号データのアドレス情報の１１６番地及び１１７番地の次の番地である１１８番地に記録されたコーデック指定情報の値は０となっているため、当該１番目に再生される上記オーディオ信号データ０は上記旧規格すなわちＡコーデックにより符号化されていることになる。
【０１０１】
上述したような第１の具体例のような記録がなされたディスクを、再生装置にて再生する場合において、当該ディスクを再生する装置が旧規格にのみ対応しているときには、以下のようになされる。
【０１０２】
当該旧規格に対応した再生装置にて、上記第１の具体例のように記録がなされたディスクを再生する場合、先ず図８の０番地と１番地に記録された上記旧規格の先頭データ番号と旧規格の最終データ番号が読み取られる。これにより、この旧規格に対応した再生装置では、当該ディスクから再生できるオーディオ信号データが１番目（１曲目）から１番目（１曲目）まで、すなわち１個のみであると解釈する。
【０１０３】
次に、当該旧規格に対応した再生装置では、当該１番目に再生されるオーディオ信号データがディスク上のどこに記録されているのかを知るために、当該１番目の再生に対応した５番地のアドレス格納位置の内容を調べる。このとき、当該旧規格に対応した再生装置では、前記図１７にて説明したように２番地から４番地については旧規格に則って０が記録されていると判断しており、これら２番地から４番地の内容については読み出さない（読み出したとしても無視する）。
【０１０４】
このように旧規格に対応した再生装置では、当該旧規格に則って５番地のアドレス格納位置の内容を調べ、当該アドレス格納位置にて指示されるアドレス情報が記録された番地（管理データ領域内の位置）を知る。次に、この旧規格に対応した再生装置では、当該５番地のアドレス格納位置から読み取った１１６番地から、再生すべきオーディオ信号データのアドレス情報（スタートアドレスとエンドアドレス）を取り込む。この１１６番地以降にアドレス情報として記録されたスタートアドレスとエンドアドレスは、前述したように２０００００番地から２３９９９９番地を示し、この番地には前記オーディオ信号データ０が記録されている。またこのときの当該旧規格に対応した再生装置では、前記図１７にて説明したように１１８番地については旧規格に則って０が記録されていると判断しており、この１１８番地の内容については読み出さない（読み出したとしても無視する）。
【０１０５】
これにより、当該旧規格に対応する再生装置では、上記ディスクから上記オーディオ信号データ０の内容のみを再生する。すなわち、当該記録再生装置では、当該オーディオ信号データ０として記録された「このディスクの信号を再生するためには、Ｂコーデック対応再生機をご使用ください。」というメッセージ音声を再生する。
【０１０６】
上記図８に示すような第１の具体例のフォーマットにて記録を行うことで、当該旧規格に対応する再生装置において、新規格であるＢコーデックによるオーディオ信号を誤って再生してしまうことが防げるようになり、上記メッセージ信号が再生されることで、この旧規格に対応した再生装置の使用者の混乱を回避することが可能となる。
【０１０７】
次に、前記図１に示したような新規格に対応した記録再生装置にて、上記第１の具体例のように記録がなされたディスクを再生する場合の流れは、以下のようになる。
【０１０８】
この新規格に対応した記録再生装置にて上記第３の具体例のように記録がなされたディスクを再生する場合、当該記録再生装置は、新規格に基づいて、先ず２番地に記録されたモード指定情報の内容をチェックする。ここで、図８に示したように上記２番地のモード指定情報の値は１となっているため、当該新規格に対応した記録再生装置は、このディスクが新規格に基づいて記録されていることを知る。
【０１０９】
次に、この新規格に対応した記録再生装置は、上記モード指定情報の値｀が１の場合の規定に基づいて、上記０番地と１番地に記録された旧規格の先頭データ番号と旧規格の最終データ番号を無視し、上記３番地と４番地に記録された新規格の先頭データ番号と新規格の最終データ番号の内容を読み取る。図８の例では、前述したように、３番地に記録された新規格の先頭データ番号の値が２となっており、４番地に記録された新規格の最終データ番号の値が５となっているため、当該ディスクから再生できる新規格によるオーディオ信号データは前述のように４個であると解釈する。
【０１１０】
次に、当該新規格に対応した記録再生装置では、上記２番目から５番目までのＡコーデックによるオーディオ信号データがディスク上のどこに記録されているのかを知るために、上記２番目〜５番目の再生に対応した６番地から９番地までのアドレス格納位置の内容を調べる。
【０１１１】
このように新規格に対応した記録再生装置では、当該新規格に則って６番地から９番地までのアドレス格納位置の内容を調べ、これらアドレス格納位置にて指示されるアドレス情報が記録された番地（管理データ領域内の位置）を知る。次に、この新規格に対応した記録再生装置では、上記６番地から９番地までのアドレス格納位置にて指示された１００番地，１０８番地，１０４番地，１１２番地から、順番に再生すべきオーディオ信号データのアドレス情報（スタートアドレスとエンドアドレス）を取り込む。例えば、上記１００番地以降に記録されたアドレス情報は、前述したようにスタートアドレスが８０００２番地で、エンドアドレスが１１８９９７番地を示し、これらの番地にて示される領域には、前記オーディオ信号データ１が記録されている。またこのときの当該新規格に対応した記録再生装置では、上記アドレス情報の番地の次の番地である１０２番地のコーデック指定情報の値１を読み取る。これにより、当該新規格に対応する記録再生装置では、上記オーディオ信号データ１がＢコーデックにより符号化されたものであることを知り、その内容を再生する。以下、上記１０８番地，１０４番地，１１２番地のアドレス情報及びこのアドレス情報に対応するＢコーデックのオーディオ信号データについても同様にする。
【０１１２】
すなわち上記図８に示すような第３の具体例のフォーマットにて記録がなされることで、当該新規格に対応する記録再生装置において、新規格であるＢコーデックによるオーディオ信号データを再生可能となる。
【０１１３】
また、当該新規格の記録再生装置では、上述のように旧規格については無視するため、前述したメッセージが再生されることはない。ただし、当該ディスクを再生する記録再生装置の使用者に対して注意を促すために、当該新規格に対応した記録再生装置においても前記メッセージを再生することは可能である。この場合には、上記３番地に記録される新規格の先頭データ番号の値を１にしておけば良い。すなわち当該３番地の新規格の先頭データ番号の値を１にしておけば、５番地のアドレス格納位置から１１６番地以降のスタートアドレス及びエンドアドレスが読み取られ、これにより前述したようにメッセージ信号であるオーディオ信号データ０が再生されることになる。もちろん、この場合の新規格の記録再生装置は、旧規格によるオーディオ信号データをも再生できるものである必要がある。
【０１１４】
以上の説明から明らかなように、本発明によれば、新規格に対応した記録再生装置においてディスクに記録されている所望のオーディオ信号データを再生できるばかりなく、旧規格に対応した再生装置ではディスク再生に関して注意を促す前記メッセージのみが再生され、使用者に不要な混乱を与えることを回避することができる。
【０１１５】
上記図８の例では、旧規格に対応した再生装置が再生できるのはディスク再生に関して注意を促すメッセージのみであったが、ディスクに記録されているＡコーデックによるすべてのオーディオ信号データを当該旧規格に対応した再生装置にて再生させるようにすることも可能である。また、図８の例では、新規格に対応した記録再生装置が再生するのはＢコーデックによるオーディオ信号データのみであったが、当該新規格に対応した記録再生装置においてＢコーデックのみならずＡコーデックのオーディオ信号データをも再生できるようにすることも可能である。これらを実現する第２の具体例のフォーマットについて、図９を用いて説明する。
【０１１６】
前記図８と同様に、この図９に示す第２の具体例においても、図中オーディオ信号データ４とオーディオ信号データ２をＡコーデックによるものとし、図中オーディオ信号データ１とオーディオ信号データ３をＢコーデックによるものとしている。また、図９の例では、図中オーディオ信号データ０として「このディスクにはＢコーデック対応再生機でないと再生できないものが２曲含まれています。」という内容が、Ａコーデックによるメッセージ信号として記録されている。なお、このメッセージ信号は、前記図１に示したような新規格に対応した記録再生装置にて記録を行う際に、前記システムコントローラ５７が、Ｂコーデックによって符号化されているデータ数を管理データをもとに数え、その情報に基づいて合成し、上記ディスクに記録したものである。
【０１１７】
管理データ領域の０番地と１番地には、旧規格の先頭データ番号と旧規格の最終データ番号が記録されている。この図９の例では、上記旧規格の先頭データ番号の値が１で旧規格の最終データ番号の値は３となっており、このことは当該ディスクから旧規格として取り出せるオーディオ信号データが１番目から３番目までの３個（３曲）であることを示している。
【０１１８】
また、当該管理データ領域の２番地には、上記モード指定情報として２の値が記録される。当該モード指定情報は、前述したように値が０のとき前記旧規格に基づいた記録が行われていることを示し、値が１のとき新規格（Ｂコーデック）に基づいた記録が行われていることを示すものであり、さらに上記値が２であるときには、新規格に対応する記録再生装置において当該ディスクに記録されているＡコーデック及びＢコーデックによるすべてのオーディオ信号データを再生させることを示すものである。
【０１１９】
一方、管理データ領域の３番地と４番地には、図９に示すように、新規格の先頭データ番号の値として４が記録され、また、新規格の最終データ番号の値として５が記録されている。このことは、当該ディスクから新規格として取り出せるオーディオ信号データが上記４番目から５番目までの２個であることを示している。
【０１２０】
さらに、上記管理データ領域の５番地から９番地までには、前記図８同様にアドレス格納位置の情報が記録されている。ただし、この図９の例では、１番目に再生されるオーディオ信号データのためのアドレス情報の格納位置として１１６番地が記録され、２番目に再生されるオーディオ信号データのためのアドレス情報の格納位置として１０８番地が記録され、３番目に再生されるオーディオ信号データのためのアドレス情報の格納位置として１１２番地が記録され、４番目に再生されるオーディオ信号データのためのアドレス情報の格納位置として１００番地が記録され、５番目に再生されるオーディオ信号データのためのアドレス情報の格納位置として１０４番地が記録されている。もちろん、この図９の場合も前記図８同様に当該アドレス格納位置の内容を入れ換えることは可能である。
【０１２１】
ここで、当該図９の例では、前述したように０番地の旧規格先頭データ番号の値が１で１番地の旧規格最終データ番号の値が３となっており、また、３番地の新規格先頭データ番号の値が４で４番地の新規格最終データ番号の値が５となっているため、上記５番地から９番地までのアドレス格納位置１〜５のうち、５番地から７番地までのアドレス格納位置１〜３がＡコーデックに対応し、８番地及び９番地のアドレス格納位置４及び５がＢコーデックに対応することになる。
【０１２２】
これらアドレス格納位置にて指示される上記各アドレス情報のうち、それぞれスタートアドレスとエンドアドレスを記録する領域の次の領域は、前記コーデック指定情報用の領域として使用され、当該コーデック指定情報用の領域の次の領域は、再生順序情報用の領域として使用される。上記コーデック指定情報は前述同様である。上記再生順序情報は、新規格に対応した記録再生装置においてＡコーデックによるデータとＢコーデックによるデータを任意の順序で再生するために設けられるものである。すなわち前記図８に示した例では、新規格に対応した記録再生装置での再生順序はアドレス格納位置のデータの記録順序と同一であったが、図９に示す例の場合には、Ａコーデックによるオーディオ信号データのアドレス格納位置は連続的に記録する必要があり、また、Ｂコーデックによるオーディオ信号データのためのアドレス格納位置も連続的に記録する必要があり、このため、新規格に対応した記録再生装置にて上記Ａコーデックによるオーディオ信号データとＢコーデックによるオーディオ信号データを任意の順序で再生するためには別の規定が必要になる。したがって、上記新規格に対応した記録再生装置における再生順序を規定するものとして、上記再生順序情報が設けられている。より具体的に説明すると、当該再生順序情報は、前記モード指定情報の値が２であるときのみ有効となるものであり、この再生順序情報の値と前記アドレス格納位置の順番とが対応付けられて構成されたものである。なお、この再生順序情報に基づく再生の流れについての詳細は後述する。
【０１２３】
次に、図９の例では、上記各アドレス情報のうち、上記５番地のアドレス格納位置１にて指示された上記１１６番地に格納されているアドレス情報は前記図８同様にスタートアドレスが２０００００番地となされ、エンドアドレスが２３００００番地となされている。一方、例えば上記８番地のアドレス格納位置４にて指示された上記１００番地に格納されているアドレス情報は、スタートアドレスが８０００２番地であり、エンドアドレスが１１８９９７番地であることを示している。
【０１２４】
上述した図９に示した第２の具体例のように記録がなされたディスクを、旧規格に対応した再生装置にて再生する場合の流れは、以下のようになる。
【０１２５】
当該旧規格に対応した再生装置にて当該図９のように記録がなされたディスクを再生する場合、先ず図９の０番地と１番地に記録された上記旧規格の先頭データ番号と旧規格の最終データ番号が読み取られる。これにより、この旧規格に対応した再生装置では、当該ディスクから再生できるオーディオ信号データが１番目から３番目まで、すなわち３個であると解釈する。
【０１２６】
次に、当該旧規格に対応した再生装置では、上記１番目〜３番目として再生されるオーディオ信号データがディスク上のどこに記録されているのかを知るために、当該１番目から３番目の再生に対応した５番地から７番地までのアドレス格納位置の内容を調べる。このとき、当該旧規格に対応した再生装置では、前記図１７にて説明したように２番地から４番地については旧規格に則って０が記録されていると判断しており、これら２番地から４番地の内容については読み出さない（読み出したとしても無視する）。
【０１２７】
このように旧規格に対応した再生装置では、当該旧規格に則って５番地から７番地までのアドレス格納位置の内容を調べ、これらアドレス格納位置にて指示されるアドレス情報が記録された番地（管理データ領域内の位置）を知る。次に、この旧規格に対応した再生装置では、上記５番地から７番地までのアドレス格納位置から読み取った１１６番地，１０８番地，１１２番地より、それぞれ再生すべきオーディオ信号データのスタートアドレスとエンドアドレスを取り込む。ここで、例えば１１６番地以降に記録されたスタートアドレスとエンドアドレスは、前述したように２０００００番地から２３９９９９番地を示し、この番地には前記オーディオ信号データ０が記録されている。またこのときの当該旧規格に対応した再生装置では、前記図１７にて説明したように１１８番地及び１１９番地については旧規格に則って０が記録されていると判断しており、これら１１８番地及び１１９番地の内容については読み出さない（読み出したとしても無視する）。
【０１２８】
これにより、当該旧規格に対応する再生装置では、当該ディスクから先ず上記５番地のアドレス格納位置に対応するアドレス情報に応じてオーディオ信号データ０の内容を再生し、次いで上記６番地のアドレス格納位置に対応するアドレス情報に基づくオーディオ信号データを再生し、その後上記７番地のアドレス格納位置に対応するアドレス情報に基づくオーディオ信号データを再生する。すなわち、当該旧規格に対応する再生装置では、上記オーディオ信号データ０として記録された「このディスクにはＢコーデック対応再生機でないと再生できないものが２曲含まれています。」というメッセージを再生し、その後、２つのＡコーデックによるオーディオ信号を再生する。
【０１２９】
上述したように、図９に示した第２の具体例によれば、前記図１に示したような新規格に対応した記録再生装置にて記録を行う際に、前記システムコントローラ５７がＢコーデックによって符号化されているデータ数を管理データをもとに数え、その情報に基づいて合成された「このディスクにはＢコーデック対応再生機でないと再生できないものが２曲含まれています。」というＡコーデックによるメッセージ信号を記録している。このため、当該図９に示すような第２の具体例のフォーマットにて記録されたディスクを、旧規格に対応する再生装置において再生する場合に、新規格であるＢコーデックによるオーディオ信号を誤って再生してしまうことが防げるようになり、また、上記メッセージ信号が再生されることで、この旧規格に対応した再生装置の使用者は、再生できないデータがどの程度あるのかを知ることができ、混乱を回避することが可能となる。もちろん、メッセージによって知らせる内容は、上述のような再生できない曲数に限らず、例えば再生できないデータ容量や再生できない曲の合計時間であっても良い。さらに、図９に示すように、アドレス格納位置としては、５番地から７番地までにＡコーデックに対応するものが記録され、次の８番地と９番地にＢコーデックに対応するものが記録され、また、旧規格の先頭データ番号の値は１に設定され、旧規格の最終データ番号の値は３に設定されているため、旧規格に対応した再生装置ではＡコーデックによって符号化されている３個すべてのオーディオ信号データを再生することが可能となる。
【０１３０】
次に、新規格に対応した記録再生装置にて当該図９に示す第２の具体例のように記録がなされたディスクを再生する場合の流れは以下のようになる。
【０１３１】
この新規格に対応した記録再生装置では、先ず２番地に記録されたモード指定情報の内容をチェックする。図９の例では、上記２番地のモード指定情報の値は２となっているため、当該新規格に対応した記録再生装置は、このディスクが新規格に基づいて記録されていることを知ると共に、当該ディスクに記録されているＡコーデック及びＢコーデックによるすべてのオーディオ信号データを再生できることを知る。
【０１３２】
次に、当該新規格に対応した記録再生装置は、上記モード指定情報の値が２の場合の規定に基づいて、上記０番地と１番地に記録された旧規格の先頭データ番号と旧規格の最終データ番号、及び上記３番地と４番地に記録された新規格の先頭データ番号と新規格の最終データ番号の内容を読み取る。図９の例では、前述したように、０番地に記録された旧規格の先頭データ番号の値が１となっており、１番地に記録された旧規格の最終データ番号の値が３となっており、３番地に記録された新規格の先頭データ番号の値が４となり、４番地に記録された新規格の最終データ番号の値が５となっているため、当該ディスクには旧規格によるオーディオ信号データが３個で、新規格によるオーディオ信号データが２個記録されていると解釈する。
【０１３３】
次に、当該新規格に対応した記録再生装置では、上記格オーディオ信号データの記録場所を知るために、５番地から９番地までのアドレス格納位置の内容を調べる。
【０１３４】
このように新規格に対応した記録再生装置では、５番地から９番地までのアドレス格納位置の内容を調べ、これらアドレス格納位置にて指示されるアドレス情報が記録された番地を知る。次に、この新規格に対応した記録再生装置では、上記５番地から９番地までのアドレス格納位置から読み取った各番地のアドレス情報を取り込む。このとき、各アドレス情報に対応して設けられている再生順序情報から、それぞれオーディオ信号データの再生順序を知り、当該再生順序情報に応じた順番で各オーディオ信号データを再生する。
【０１３５】
このように、上記図９に示した第２の具体例のようなフォーマットにて記録されたディスクを再生することで、当該新規格に対応する記録再生装置においては、Ａコーデック及びＢコーデックのオーディオ信号データを任意の順番にて再生することが可能となる。勿論、この図９の例に対応する新規格の記録再生装置においても、前記メッセージ信号を再生することは可能である。また、当該メッセージ信号によって知らせる内容は再生できない曲数に限らず、再生できないデータ容量や再生できない曲の合計時間であっても良い。
【０１３６】
次に、上記図１に示した新規格に対応した記録再生装置にて、ディスクに対してデータを記録する場合の前記システムコントローラ５７の処理の流れについて、図１０を用いて説明する。この図１０のフローチャートは、前記第１，第２の具体例の何れにも対応するものである。
【０１３７】
この図１０において、システムコントローラ５７は、先ずステップＳ１０１にて前記管理データ領域に記録する管理データの読み出し（取り込み）を行い、次にステップＳ１０２にてＡコーデックによる信号の記録か又はＢコーデックによる信号の記録かを判別する。
【０１３８】
このステップＳ１０２での判定において、Ｂコーデックによる信号の記録を行うと判定した場合にはステップＳ１０３に進み、Ｂコーデックでの記録モードに移行する。次のステップＳ１０４では実際の記録状況に応じて管理データの内容更新を行う。すなわち、前記図８や図９のように、実際の記録がどのようになされたのかに応じて、管理データを更新する。次のステップＳ１０５ではその内容に応じたメッセージ信号を前記オーディオ信号データ０として発生させる。すなわち、例えば前記図８のようにモード指定情報の値が１としたようなときには、前記「このディスクの信号を再生するためには、Ｂコーデック対応再生機をご使用ください。」というメッセージ信号を発生し、また、前記図９のようにモード指定情報の値を２にしたときには、前記「このディスクにはＢコーデック対応再生機でないと再生できないものが２曲含まれています。」というメッセージ信号を発生する。このときのメッセージ信号は前記Ａコーデックにより符号化されたものとなる。なお、当該記録時のモード指定情報は、例えば当該記録再生装置の使用者が入力する。次のステップＳ１０６では、当該オーディオ信号データ０のメッセージ信号をディスクに記録する。その後、ステップＳ１０７において、当該更新した管理データをディスクに記録する。
【０１３９】
一方、上記ステップＳ１０２での判定において、Ａコーデックによる信号の記録を行うと判定した場合にはステップＳ１０８に進み、Ａコーデックでの記録モードに移行する。次のステップＳ１０９では管理データの内容更新を行い、次のステップＳ１１０では当該管理データをディスクに記録する。
【０１４０】
次に、上記図１に示した新規格に対応した記録再生装置にて、ディスクから信号を再生する場合の前記システムコントローラ５７の処理の流れについて、図１１を用いて説明する。
【０１４１】
この図１１において、上記システムコントローラ５７は、先ずステップＳ２０１にてディスクから前記管理データ領域に記録されたデータすなわち管理データを読み出す。次のステップＳ２０２では、当該管理データ領域に記録されたモード指定情報の値が前記０、１、２のいずれであるかを判別する。上記モード指定情報の値が０の場合はステップＳ２０３に進み、値が１の場合はステップＳ２０４に進み、値が２の場合はステップＳ２０５に進む。
【０１４２】
上記モード指定情報の値が０の場合のステップＳ２０３では、既に説明したように、旧規格の先頭データ番号、旧規格の最終データ番号に基づいた再生を行う。一方、上記モード指定情報の値が１の場合のステップＳ２０４では、既に説明したように、新規格の先頭データ番号、新規格の最終データ番号に基づいた再生を行う。
【０１４３】
そして、上記モード指定情報の値が２の場合のステップＳ２０５以降の処理では、前述したように、Ａコーデックによるオーディオ信号データ及びＢコーデックによるオーディオ信号データを任意の順番で再生する。このとき上記ステップＳ２０５以降の処理では、具体的には以下のようなことを行う。先ず、ステップＳ２０５では、再生順序テーブルをシステムコントローラ５７内のメモリに構築してから、ステップＳ２０６において再生を行う。ここで、再生順序テーブルは、図１２に示すように、前記再生順序情報の値とアドレス格納位置とが対応付けられて構成されたものである。すなわち、上記システムコントローラ５７は、旧規格の先頭データ番号、旧規格の最終データ番号、新規格の先頭データ番号、新規格の最終データ番号に基づいてアドレス格納位置のデータを走査しながら、そのアドレス格納位置のデータによって決定されるアドレス情報に付随した再生順序情報を読み出し、当該再生順序情報と上記アドレス格納位置に記録されていた番地データ（アドレス情報の番地）とを対応付けた、図１２に示されるような再生順序テーブルを構築する。上記図１１中のステップＳ２０６では、このように構築された再生順序テーブルの１番目以降に対応するオーディオ信号データを順番に再生して行けば良い。なお、図１２において、再生順序テーブルの５番地に記録されている−１という値は、テーブルの終了を表すものである。これにより、新規格の記録再生装置では、Ａコーデックによって符号化されたオーディオ信号とＢコーデックによって符号化されたオーディオ信号の両者が入り交じって記録されたディスクを、使用者の希望する任意の順序に並び変えて再生することが可能になる。
【０１４４】
ところで、上述した第１，第２の具体例では、新規格に対応する記録再生装置において図１の構成のように高価なＲＯＭ８０を使用しなければならず、また、上記第１，第２の具体例では、旧規格に対応する再生装置にてディスクを再生する場合に、当該ディスクに記録されているオーディオ信号データのうち実際にどのオーディオ信号データが新規格に対応した再生装置でなければ再生できないのかを知ることができない。このため、本発明においては、以下に述べる第３の具体例のようにすることで、上記ＲＯＭ８０を使用しないでも済み、また、ディスクに記録されているオーディオ信号データのうち実際にどのオーディオ信号データが新規格に対応した再生装置でなければ再生できないのかを、旧規格に対応する再生装置にて認識可能にしている。
【０１４５】
すなわち、本発明の第３の具体例では、Ａコーデックにより符号化されたメッセージ信号を予めディスクに記録しておき（すなわち当該ディスクには最初からメッセージ信号が記録されている）、新規格に対応する記録再生装置において前記Ｂコーデックでの記録を行う際に、必要に応じて前記管理データ領域に記録する管理データの内容を操作する（すなわちアドレス情報が記録された番地を書き換える）ことにより、後に旧規格に対応する再生装置で再生を行う場合に、上記予め記録されていたメッセージ信号を再生できるようにすることで、上記図１のようにＲＯＭを備えない安価な新規格に対応する記録再生装置を使用可能としている。
【０１４６】
また、本発明の第３の具体例においては、管理データによって記録位置情報（アドレス格納位置及びアドレス情報）が与えられる各オーディオ信号データ毎に上記メッセージ信号を対応付けるようにし、当該メッセージ信号を旧規格に対応する再生装置でも再生可能とすることにより、ディスクに記録された各オーディオ信号データのうち、いずれのオーディオ信号データが実際にＢコーデックにて符号化されたものであるのかを、当該旧規格の再生装置の使用者に知らせることをも可能にしている。
【０１４７】
以下、本発明の第３の具体例について詳細に説明する。
【０１４８】
図１３には、当該第３の具体例において、上述したようにメッセージ信号が最初から記録されているディスクに対して、前記Ａコーデックによるオーディオ信号データとＢコーデックによるオーディオ信号データを記録した場合のフォーマットを示す。
【０１４９】
この図１３において、図中オーディオ信号データ４とオーディオ信号データ２が前記Ａコーデックによるものであり、図中オーディオ信号データ１とオーディオ信号データ３が前記Ｂコーデックによるものとなっている。また、図１３の例では、図中オーディオ信号データ０にて示すオーディオ信号として、Ａコーデックによるメッセージ信号が予め記録されている。この予め記録されているメッセージ信号は、「この曲の再生にはＢコーデック対応再生機をご利用下さい。」という音声信号となっている。
【０１５０】
また、管理データ領域の０番地と１番地には、旧規格の先頭データ番号と旧規格の最終データ番号が記録されている。図１３の例では、上記旧規格の先頭データ番号の値が１で旧規格の最終データ番号の値は５となっており、このことは当該ディスクから旧規格として取り出せるオーディオ信号が１番目から５番目の５個であることを示している。
【０１５１】
さらに、当該管理データ領域の２番地には、上記モード指定情報として３の値が記録される。当該モード指定情報は、前述同様に値が０のときは前記旧規格に基づいた記録が行われていることを示し、値が１のときは新規格に基づいた記録（Ｂコーデックによる信号の記録）が行われていることを示し、上記値が２のときは新規格に対応する記録再生装置において当該ディスクに記録されているＡコーデック及びＢコーデックによるすべてのオーディオ信号データを再生させることを示すものであり、さらに値が３であるときには、Ａコーデックによるメッセージ信号がディスクの２０００００番地以後に記録されることを規定するものである。また、上記モード指定情報の値が３であるとき、管理データ領域の３番地と４番地には何も記録されない。
【０１５２】
上記管理データ領域の５番地から９番地までには、前記図８や図９と同様にアドレス格納位置の情報が記録されている。この図１３の例では、１番目に再生されるオーディオ信号データのためのアドレス情報の格納位置として１１６番地が記録され、２番目に再生されるオーディオ信号データのためのアドレス情報の格納位置として１００番地が記録され、３番目に再生されるオーディオ信号データのためのアドレス情報の格納位置として１１２番地が記録され、４番目に再生されるオーディオ信号データのためのアドレス情報の格納位置として１０８番地が記録され、５番目に再生されるオーディオ信号データのためのアドレス情報の格納位置として１０４番地が記録されている。もちろん、この図１３の場合も当該アドレス格納位置の内容を入れ換えることは可能である。
【０１５３】
また、図１３の例では、上記アドレス格納領域にて指示される各アドレス情報のうち、上記５番地のアドレス格納位置１にて指示された上記１１６番地に格納されているアドレス情報はスタートアドレスが２０００００番地となされ、エンドアドレスが２３００００番地となされている。一方、例えば上記６番地のアドレス格納位置２にて指示された上記１００番地に格納されているアドレス情報は、スタートアドレスが３８９８１番地であり、エンドアドレスが７００３９番地であることを示している。さらに、この図１３の例では、Ｂコーデックによるオーディオ信号データのアドレス情報は、１１８番地以降に記録され、例えば１１８番地にはＢコーデックによる信号のスタートアドレスが記録され、１１９番地にはエンドアドレスが記録されている。
【０１５４】
すなわち、この図１３に示す第３の具体例の場合、前記第１，第２の具体例と異なるのは、前記メッセージ信号として「この曲の再生にはＢコーデック対応再生機をご利用下さい。」という音声信号が記録されていることと、管理データ領域に記録される管理データのうち、２番地に記録されているモード指定情報の値が３であること、及び、例えばＢコーデックで符号化が行われた信号を記録する場合には、そのスタートアドレス及びエンドアドレスが、Ａコーデックで符号化されているメッセージ信号のスタートアドレス及びエンドアドレスの次に記録される点である。
【０１５５】
ここで、図１４には図１３に示した第３の具体例のフォーマットでディスクに記録を行う場合の、新規格に対応した記録装置のシステムコントローラ５７における処理例を示す。すなわち、当該新規格に対応する記録装置では、図１３に示したようなＡコーデックでの記録（モード指定情報の値は０となる）及び、当該第３の具体例で説明したＢコーデックでの記録（モード指定情報の値３となる）が可能となっている。
【０１５６】
この図１４において、先ず、ステップＳ３０１では、当該新規格に対応する記録装置の使用者が入力したモード指定情報をチェックし、その値が０であればステップＳ３０２に進む。このステップＳ３０２では図１３に示したようにＡコーデックによるオーディオ信号データのためのスタートアドレスを記録し、次のステップＳ３０３ではＡコーデックで符号化したオーディオ信号データ（すなわち音響信号）の記録を行う。その後、ステップＳ３０４ではエンドアドレスの記録を行う。
【０１５７】
一方、ステップＳ３０１での判定において、モード指定情報の値が３と判定されたときには、ステップＳ３０５に進む。このステップＳ３０５では、先ず、メッセージ信号のためのスタートアドレス及びエンドアドレスを記録する。そして、次のステップＳ３０６では、Ｂコーデックによるオーディオ信号データのためのスタートアドレス（Ｂスタートアドレス）を記録し、次のステップＳ３０７では、当該Ｂコーデックで符号化したオーディオ信号データ（すなわち音響信号）の記録を行い、その後、ステップＳ３０８でＢコーデックのエンドアドレス（Ｂエンドアドレス）の記録を行う。
【０１５８】
このように、モード指定情報の値が３と判定されたときには、Ｂコーデックによるオーディオ信号データを記録する前に、必ず上記Ａコーデックによるメッセージ信号のためのアドレス情報を記録し、その後上記Ｂコーデックによるオーディオ信号データのためのアドレス情報の記録と当該Ｂコーデックによるオーディオ信号データの記録とを行うようにする。このことは、後にＢコーデックによるオーディオ信号データを再生しようとしたとき、必ず先にメッセージ信号のためのアドレス情報が読み出されることを示している。したがって、当該ディスクを例えば旧規格に対応する再生装置にて再生しようとした場合において、上記Ｂコーデックによるオーディオ信号データが記録された領域を再生しようとすると、必ず上記メッセージ信号が再生されることになる。もちろんこのときの旧規格に対応する再生装置では、メッセージ信号のみ再生されＢコーデックによるオーディオ信号データが再生されることはない。
【０１５９】
上述の図１３に示したような第３の具体例のフォーマットにより記録がなされたディスクを、上述のように旧規格に対応した再生装置にて再生する場合の流れは、以下のようになる。
【０１６０】
当該旧規格に対応した再生装置にて当該図１３のような第３の具体例の記録がなされたディスクを再生する場合、先ず図１３の０番地と１番地に記録された上記旧規格の先頭データ番号と旧規格の最終データ番号が読み取られる。これにより、この旧規格に対応した再生装置では、当該ディスクから再生できるオーディオ信号データが１番目から５番目まで、すなわち５個であると解釈する。
【０１６１】
次に、当該旧規格に対応した再生装置では、上記１番目〜５番目として再生されるオーディオ信号データがディスク上のどこに記録されているのかを知るために、当該１番目から５番目の再生に対応した５番地から９番地までのアドレス格納位置の内容を調べる。
【０１６２】
このように旧規格に対応した再生装置では、当該旧規格に則って５番地から９番地までのアドレス格納位置の内容を調べ、これらアドレス格納位置にて指示されるアドレス情報が記録された番地を知る。次に、この旧規格に対応した再生装置では、上記５番地から９番地までのアドレス格納位置から読み取った１１６番地，１００番地，１１２番地、１０８番地、１０４番地より、それぞれ再生すべきオーディオ信号データのスタートアドレスとエンドアドレスを取り込む。
【０１６３】
ここで、例えば１１６番地以降に記録されたスタートアドレスとエンドアドレスは、前述したように２０００００番地から２３９９９９番地を示し、この番地には前記オーディオ信号データ０として前記メッセージ信号が予め記録されている。したがって、当該旧規格に対応する再生装置では、当該ディスクから上記５番地のアドレス格納位置に対応するアドレス情報に応じてオーディオ信号データ０の内容を再生することで、前記「この曲の再生にはＢコーデック対応機をご利用下さい。」というメッセージを再生する。また、この旧規格に対応する再生装置でＢコーデックによるオーディオ信号データを再生しようとすると、上記メッセージ信号のみが再生されることになる。
【０１６４】
このように、上記図１３に示すような第３の具体例のフォーマットにて記録を行うことで、旧規格に対応する再生装置で再生を行う場合には、上記予め記録されていたメッセージ信号を再生でき、また、ＲＯＭを備えない安価な新規格に対応する記録再生装置が使用可能となる。さらに、本発明の第３の具体例においては、旧規格に対応する再生装置において、ディスクに記録された各オーディオ信号データのうち、実際にいずれのオーディオ信号データが新規格に対応した再生装置でなければ再生できないのかを知ることができ、これを使用者に知らせることが可能となる。
【０１６５】
一方、新規格に対応した記録再生装置にて当該図１３に示した第３の具体例のフォーマットにて記録がなされたディスクを再生する場合の流れは、以下のようになる。
【０１６６】
この新規格に対応した記録再生装置では、先ず２番地に記録されたモード指定情報の内容をチェックする。図１３の例では、上記２番地のモード指定情報は３となっているため、当該新規格に対応した記録再生装置は、Ａコーデックによるメッセージ信号がディスクの２０００００番地以後に記録されることを知ると共に、先ず、アドレス格納位置の情報を読み出す。
【０１６７】
ここで、当該新規格に対応した記録再生装置では、先ずアドレス格納位置情報を読み出し、それに基づいてスタートアドレスを読み出すが、このときのスタートアドレスは２０００００番地以後であることから、これはメッセージ信号に対するものであること、そしてメッセージ信号のアドレス情報の次にＢコーデックで記録された各オーディオ信号データのアドレス情報が記録されていることを知り、上記メッセージ信号ではなく、Ｂコーデックで記録されたオーディオ信号データの再生を行うようにする。なお、Ｂコーデックで符号化されたオーディオ信号データに対するＡコーデックで符号化されたメッセージ信号としては、まったく同一のデータ（オーディオ信号データ０）が使用できるため、記録媒体の高い利用効率を実現することができる。
【０１６８】
次に、図１５には、図１３に示した第３の具体例のフォーマットの記録媒体を再生する新規格に対応した再生装置の処理例を示す。
【０１６９】
この図１５において、先ず、ステップＳ４０１では変数ｋの値として管理データ部分に記録された先頭データ番号を代入する。次のステップＳ４０２では、上記変数ｋに対応して読み出された上記オーディオ信号データのためのスタートアドレスを変数Ｓに代入し、次のステップＳ４０３では当該変数Ｓの値をチェックする。
【０１７０】
このステップＳ４０３において、上記変数Ｓの値が２０００００番地以上を示している場合、その番地以降に記録されたオーディオ信号データはメッセージ信号であるので、ステップＳ４０４に進んで上記変数Ｓの値をＢコーデックのスタートアドレス（Ｂスタートアドレス）に修正すると共に、ステップＳ４０５にて変数Ｅの値をＢコーデックのエンドアドレス（Ｂエンドアドレス）にし、さらにステップＳ４０６では上記変数Ｓから変数Ｅまでの値として示されるスタートアドレスからエンドアドレス内のデータをＢコーデックで復号して再生し、次のステップＳ４０９に進む。
【０１７１】
一方、ステップＳ４０３において、上記変数Ｓの値が２０００００番地より小さいことを示している場合には、そのアドレスに対応する位置から記録されているオーディオ信号データを再生すれば良いので、ステップＳ４０７に進み、変数Ｅの値をエンドアドレスにし、次のステップＳ４０８で変数Ｓから変数Ｅにて示されるアドレスのデータをＡコーデックで復号して再生し、ステップＳ４０９に進む。
【０１７２】
ステップＳ４０９では、上記変数ｋの値が最終データ番号であれば処理を終了し、そうでなければ、ステップＳ４１０に進んで当該変数ｋの値を１増加させてからステップＳ４０２に進み処理を繰り返す。
【０１７３】
なお、この第３の具体例を実現する記録再生装置の構成は、前記図１の構成においてＲＯＭ８０を除いたものとなるが、当該第３の具体例の記録再生装置のシステムコントローラ５７の動作は上述した図１４や図１５のフローチャートを実現するものとなる。
【０１７４】
上述した第３の具体例によれば、前述したように、Ａコーデックにより符号化されたメッセージ信号を予めディスクに記録しておき、新規格に対応する記録装置において前記Ｂコーデックで記録を行う際に、必要に応じて前記管理データ領域に記録する管理データの内容を操作（すなわちアドレス情報が記録された番地を書き換える）し、管理データによって記録位置情報（アドレス情報）が与えられる各オーディオ信号データ毎にメッセージ信号を対応付けて記録することにより、当該メッセージ信号を旧規格に対応する再生装置にて再生可能になると共に、Ｂコーデックによるオーディオ信号データを当該旧規格に対応する再生装置で再生しようとすると上記メッセージ信号が再生されるようになるため、この旧規格に対応する再生装置の使用者はディスクに記録された信号のうちいずれの信号に対して新規格に対応する再生装置が必要となるのかを知ることが可能できるようになる。
【０１７５】
また、上述した第３の具体例のように、新規格に対応する記録装置において前記Ｂコーデックで記録を行う際に必要に応じて前記管理データ領域に記録する管理データの内容を操作することと、管理データによって記録位置情報が与えられる各オーディオ信号データ毎にメッセージ信号を対応付けることは、それぞれ独立に使用することも、また、両方同時に使用することも可能である。これら両方同時に使用すれば、新規格に対応する記録装置の構成をより簡単にすることができる。
【０１７６】
なお、上述した第３の具体例では、メッセージ信号を予めディスクに記録しておくようにしているが、前述した第１，第２の具体例のように、Ｂコーデックによる各オーディオ信号データを記録する際に、これらＢコーデックによる各オーディオ信号データと、これらそれぞれに対するＡコーデックによるメッセージ信号の両者を、全体としてリアルタイムで記録するようなことも考えられる。ただし、このようにＢコーデックによる各オーディオ信号データと、これらそれぞれに対するＡコーデックによるメッセージ信号の両者を全体としてリアルタイムで記録するようにした場合には、各メッセージ信号を記録するための記録時間が必要になり、この場合、各オーディオ信号データとメッセージ信号をディスクへリアルタイムで高速に記録できるようなハードウェア構成にしておく必要がある。すなわちこれについては、例えば、ディスクに書き込む前の上記Ｂコーデックによるオーディオ信号データとメッセージ信号の両方を蓄えることが可能なバッファを用意し、そのバッファに格納されたデータを、例えば上記リアルタイムの２倍のスピードで書き込むようにすれば可能である。しかしこの場合は、上記バッファが必要となるため、新規格に対応する記録装置のコスト増加につながる。また、Ｂコーデックによるオーディオ信号データの記録がすべて終了した時点でＡコーデックによるメッセージ信号を記録して行くという方法も考えられるが、例えば１０秒のメッセージ信号をリアルタイムで書き込むとした場合、Ｂコーデックでの記録が終了してから更に１０秒間（当該メッセージ信号を書き込むための時間）だけ、当該記録装置の電源を作動させなければならず、使用者はこの間、待たされることになる。これに対し、上述した第３の具体例のように、予めメッセージ信号を記録しておくようにすれば、Ｂコーデックによる各オーディオ信号データを記録する際に、それぞれ対応するメッセージ信号の記録を行う必要がなく、この場合にはアドレス情報を記録するだけであるので、例えばオーディオ信号データを記録し終わった後に当該アドレス情報をディスクに書き込むようにしたとしても、処理はごく短時間で終了することができ、使用者の操作性に与える影響は少ない。また、高速書き込みのためのバッファも必要は無いので、記録装置のコストを上げずに済むことになる。
【０１７７】
以上、オーディオ信号を用いた場合を例にとって説明を行ったが、本発明に係る情報符号化方法は、旧規格に対応した再生装置が再生する信号が画像信号、あるいはテキスト情報（音声合成用のコード情報を含む）である場合にも適用可能である。また、新規格と旧規格とが同一種類の信号でない場合にも適用可能で、例えば、旧規格ではオーディオ信号を記録することになっている情報記録媒体に対して、新規格ではコンピュータ・データを記録するようにする場合にも本発明に係る情報符号化方法を適用することが可能である。いずれの場合も、その情報記録媒体の使用状況を伝えるメッセージを、旧規格で再生可能な信号として、符号化して記録することで使用者の混乱を防止することができる。
【０１７８】
また、以上の説明では符号化されたビットストリームを情報記録媒体に記録する場合について説明を行ったが、本発明に係る情報符号化方法は、ビットストリームを伝送する場合にも適用可能であり、これにより、旧規格に基づいて構成された再生機が、新規格に基づいて符号化されたビットストリームを受信した場合に誤った再生信号を出力することを防止することが可能である。
【０１７９】
【発明の効果】
上述のように、本発明においては、第１の符号化手法（旧規格）に対応した再生手段自身が再生できないデータを誤って再生しないようにするとともに、使用者に対してその情報記録媒体の内容を知らせるメッセージを伝えることによって、第１の符号化手法に対応した再生手段の使用者を混乱に陥れることを防止することができる。
【０１８０】
すなわち、本発明によれば、第１の符号化手法にのみ対応した再生手段の使用者が第２の符号化手法（新規格）に基づいて信号が記録された情報記録媒体を再生しようとした場合の混乱を防止することが可能となり、第２の符号化手法（新規格）の円滑な導入が可能になる。
【０１８１】
また、本発明によれば、第１の符号化手法（旧規格）に対応する再生手段で再生した場合に、メッセージ信号を再生できるする第２の符号化手法（新規格）に対応した記録手段を安価に構成することが可能である。
【０１８２】
さらに、本発明においては、第１の符号化手法（旧規格）のみに対応した再生手段の使用者が、実際に何番目の信号の再生に第２の符号化手法（新規格）に対応する再生手段が必要なのかを知ることが可能となる。
【図面の簡単な説明】
【図１】本発明の第１，第２の具体例を実現する記録再生装置の構成を示すブロック回路図である。
【図２】本発明の記録再生装置のうち符号化手段の構成を示すブロック回路図である。
【図３】符号化手段のうち変換手段の構成を示すブロック回路図である。
【図４】符号化手段のうち信号成分符号化手段の構成を示すブロック回路図である。
【図５】本発明の記録再生装置のうち復号化手段の構成を示すブロック回路図である。
【図６】復号化手段のうち逆変換手段の構成を示すブロック回路図である。
【図７】本発明に係る符号化方法の説明に用いる図である。
【図８】本発明の第１の具体例のフォーマットの説明に用いる図である。
【図９】本発明の第２の具体例のフォーマットの説明に用いる図である。
【図１０】本発明の第１，第２の具体例を実現する新規格に対応する記録装置におけるデータ記録の処理の流れを示すフローチャートである。
【図１１】本発明の第２の具体例を実現する新規格に対応する記録再生装置におけるデータ再生の処理の流れを示すフローチャートである。
【図１２】本発明の第２の具体例で用いる再生順序テーブルを示す図である。
【図１３】本発明の第３の具体例のフォーマットの説明に用いる図である。
【図１４】本発明の第３の具体例を実現する新規格に対応する記録装置におけるデータ記録の処理の流れを示すフローチャートである。
【図１５】本発明の第３の具体例を実現する新規格に対応する記録再生装置におけるデータ再生の処理の流れを示すフローチャートである。
【図１６】従来の圧縮データの記録再生装置の構成例を示すブロック回路図である。
【図１７】従来技術による符号化方法の説明に用いる図である。
【図１８】従来技術による符号化方法の他の例の説明に用いる図である。
【符号の説明】
１  光磁気ディスク、６３  ＡＴＣエンコーダ、６５  エンコーダ、７１  デコーダ、７３  ＡＴＣデコーダ、８０  ＲＯＭ
【図１】
0003572817.tif 000002
【図２】
0003572817.tif 000003
【図３】
0003572817.tif 000004
【図４】
0003572817.tif 000005
【図５】
0003572817.tif 000006
【図６】
0003572817.tif 000007
【図７】
0003572817.tif 000008
【図８】
0003572817.tif 000009
【図９】
0003572817.tif 000010
【図１０】
0003572817.tif 000011
【図１１】
0003572817.tif 000012
【図１２】
0003572817.tif 000013
【図１３】
0003572817.tif 000014
【図１４】
0003572817.tif 000015
【図１５】
0003572817.tif 000016
【図１６】
0003572817.tif 000017
【図１７】
0003572817.tif 000018
【図１８】
0003572817.tif 000019